(57)【要約】ＵＥのためのユーザ機器（ＵＥ）始動のリソース割り付けとネットワーク（ＮＷ）始動リース割り付けの利用を管理するシステム、方法、及びデバイスが記載されている。ＮＷ始動のリソース割り付けを利用するために、コアネットワークは、ポリシ及びチャージング制御（ＰＣＣ）はＵＥと関連づけられるネットワークによってサポートされるということを表示するインジケータをＵＥに対して送信することができる。ＵＥは、現在のアクセスネットワークがＮＷ始動のリソース割り付けをサポートするかどうか、また、現在のアプリケーションがＮＷ始動のリソース割り付けを好むかどうか、に関するインジケータのような、インジケータ及び他の情報を受信し、ＮＷ始動のリソース割り付けが利用されることを決定し、コアネットワークはＵＥについてのリソース割り付けを始動する。いずれのインジケータもＵＥによって受信されない、または、ＰＣＣがサポートされていないまたは好まれていないということを表示するインジケータをＵＥが受信する場合には、ＵＥは、ＵＥ始動のリソース割り付けが利用されることを決定し、そして、コアネットワークに対してリソース割り付けについてのリクエストを送信する。
2011524726.tif 000002
【特許請求の範囲】
【請求項１】
ワイヤレスネットワーク環境におけるモバイル通信デバイスによる通信を容易にする方法であって、
前記モバイル通信デバイスのためのリソース割り付けが前記モバイル通信デバイスまたはコアネットワークによって始動されるべきかどうかを決定することを容易にするために、ネットワーク始動のリソース割り付けについてのポリシ及びチャージング制御（ＰＣＣ）が前記コアネットワークによってサポートされるかどうかを少なくとも表示する少なくとも１つのインジケータを受信することと、
前記少なくとも１つのインジケータに少なくとも部分的に基づいて、前記モバイル通信デバイスまたは前記コアネットワークによって始動される前記リソース割り付けにしたがって、前記モバイル通信デバイスと前記コアネットワークとの間でベアラを確立することと、
を備える、方法。
【請求項２】
前記少なくとも１つのインジケータは、第１のインジケータと少なくとも１つの他のインジケータを備えており、
アクセスネットワークに接続することと、
前記モバイル通信デバイスと関連づけられる前記コアネットワークがポリシ及びチャージング制御（ＰＣＣ）をサポートするということ、したがって、前記コアネットワークによる前記リソース割り付けの始動、を表示する前記第１のインジケータを受信することと、
前記モバイル通信デバイスで利用されるアプリケーションは前記コアネットワークによる前記リソース割り付けの始動を好むということを表示する前記少なくとも１つの他のインジケータまたは構成を受信することと、
をさらに備えている、請求項１に記載の方法。
【請求項３】
前記第１のインジケータと前記少なくとも１つのインジケータとに部分的に基づいて、前記モバイル通信デバイスについての前記リソース割り付けを始動するということを決定すること、
をさらに備えている請求項２に記載の方法。
【請求項４】
前記少なくとも１つのインジケータは、ネットワーク始動のリソース割り付けを好むがモバイル通信デバイス始動のリソース割り付けもサポートするアプリケーションが前記通信デバイスで利用されるときに、前記モバイル通信デバイスによって受信され、なお、そのようなアプリケーションは、オペレータ制御アプリケーションである、請求項１に記載の方法。
【請求項５】
前記少なくとも１つのインジケータのうちの少なくとも１つが前記モバイル通信デバイスによって受信されないとき、または、前記少なくとも１つのインジケータが前記モバイル通信デバイスについての前記リソース割り付けを始動するということを表示するとき、のうちの少なくとも１つのときに、前記モバイル通信デバイスについての前記リソース割り付けを前記モバイル通信デバイスが始動するかどうかということを決定することと、
リソース割り付けについてのリクエストを生成することと、
前記モバイル通信デバイスと前記コアネットワークとの間でベアラを確立することを容易にするために、前記コアネットワークに対してリソース割り付けについてのリクエストを送信することと、
をさらに備えている請求項１に記載の方法。
【請求項６】
前記少なくとも１つのインジケータに少なくとも部分的に基づいてモバイル通信デバイス始動のリソース割り付けにしたがって、前記モバイル通信デバイスで、モバイル通信デバイス始動のリソース割り付けのみをサポートするアプリケーションを利用すること、
をさらに備え、そのようなアプリケーションは、オペレータ制御である、または、オペレータ制御でない、請求項５に記載の方法。
【請求項７】
前記モバイル通信デバイスがローミングしているということを決定することと、
前記モバイル通信デバイスはローミングしているということを決定することに少なくとも部分的に基づいて、前記モバイル通信デバイスについての前記リソース割り付けを前記モバイル通信デバイスが始動するということ、そして前記少なくとも１つのインジケータがポリシ及びチャージング制御（ＰＣＣ）は前記ローミングネットワークによってサポートされていないということを表示すること、を決定することと、
リソース割り付けについてのリクエストを生成することと、
前記モバイル通信デバイスと前記コアネットワークとの間で前記ベアラを確立することを容易にするために、前記コアネットワークに対してリソース割り付けについての前記リクエストを送信することと、
をさらに備えている請求項１に記載の方法
【請求項８】
モバイル通信デバイス始動のリソース割り付けをサポートするアプリケーション、または、ネットワーク始動のリソース割り付けを好むが前記モバイル通信デバイスでモバイル通信デバイス始動のリソース割り付けをサポートするアプリケーション、のうちの少なくとも１つを利用すること、
をさらに備えている請求項７に記載の方法。
【請求項９】
前記リソース割り付けは、前記モバイル通信デバイスと関連づけられたサービス品質（ＱｏＳ）に関する、請求項１に記載の方法。
【請求項１０】
ワイヤレス通信装置であって、
ネットワーク始動のリソース割り付けについてのポリシ及びチャージング制御（ＰＣＣ）はコアネットワークによってサポートされ、モバイル通信デバイスについてのリソース割り付けは前記モバイルデバイスまたは前記コアネットワークによって始動されるべきであるかどうかを表示する少なくとも１つのインジケータの受信と、前記少なくとも１つのインジケータに少なくとも部分的に基づき前記モバイル通信デバイスまたは前記コアネットワークによって始動される前記リソース割り付けにしたがって前記モバイル通信デバイスと前記コアネットワークとの間のベアラのセットアップと、に関する命令を保持するメモリと、
前記メモリに結合され、前記メモリにおいて保持される前記命令を実行するように構成されたプロセッサと、
を備えるワイヤレス通信装置。
【請求項１１】
前記少なくとも１つのインジケータは、ネットワーク始動のリソース割り付けについてのポリシ及びチャージング制御（ＰＣＣ）は前記モバイル通信デバイスと関連づけられた前記コアネットワークによってサポートされるということを表示するＰＣＣサポートインジケータと、または、前記ネットワーク始動のリソース割り付けは前記モバイル通信デバイスと関連づけられるアプリケーションによって好まれるということを表示するネットワーク始動の好まれるインジケータと、のうちの少なくとも１つを備える、
請求項１０に記載のワイヤレス通信装置。
【請求項１２】
前記アプリケーションは、ネットワーク始動のリソース割り付けを好むがモバイル通信デバイス始動のリソース割り付けとオペレータ制御アプリケーションである前記アプリケーションとをサポートするアプリケーションである、請求項１１に記載のワイヤレス通信装置。
【請求項１３】
前記メモリは、
アクセスネットワークに対する接続、
前記ＰＣＣサポートインジケータの受信と、
前記ネットワーク始動の好まれるインジケータまたは構成の受信と、
前記ネットワーク始動のサポートインジケータと前記ネットワーク始動の好まれるインジケータとに少なくとも部分的に基づいて、前記モバイル通信デバイスについての前記リソース割り付けを前記コアネットワークが始動するべきであるという決定と、
に関する命令を保持する、請求項１１に記載のワイヤレス通信装置。
【請求項１４】
前記メモリは、
アクセスネットワークに対する接続と、
前記ＰＣＣサポートインジケータあるいは前記ネットワーク始動の好まれるインジケータまたは構成が前記モバイル通信デバイスによって受信されないとき、または、前記モバイル通信デバイスが前記モバイル通信デバイスについての前記リソース割り付けを始動するべきであるということを前記少なくとも１つのインジケータが表示するとき、のうちの少なくとも１つのときに、前記モバイル通信デバイスについての前記リソース割り付けを前記モバイル通信デバイスが始動するべきであるという決定と、
リソース割り付けについてのリクエストの生成と、
前記モバイル通信デバイスと前記コアネットワークとの間で前記ベアラを確立することを容易にするために前記コアネットワークに対するリソース割り付けについての前記リクエストの送信と、
に関する命令を保持する、請求項１１に記載のワイヤレス通信装置。
【請求項１５】
モバイルデバイスと関連づけられた通信を容易にするワイヤレス通信装置であって、
ネットワーク始動のリソース割り付けについてのポリシ及びチャージング機能（ＰＣＣ）はコアネットワークによってサポートされ、前記モバイルデバイスについてのリソース割り付けは前記モバイルデバイスまたは前記コアネットワークによって始動されるべきであるかどうかということを表示する少なくとも１つのインジケータを受信するための手段と、
前記少なくとも１つのインジケータに少なくとも部分的に基づいて前記モバイルデバイスまたは前記コアネットワークによって始動される前記リソース割り付けにしたがって、前記モバイルデバイスと前記コアネットワークとの間でベアラを確立するための手段と、
を備えるワイヤレス通信装置。
【請求項１６】
アクセスネットワークに対して接続するための手段と、
前記モバイルデバイスと関連づけられたコアネットワークは、前記コアネットワークによってネットワーク始動のリソース割り付けについてのポリシ及びチャージング制御（ＰＣＣ）をサポートするということを表示する前記第１のインジケータを受信するための手段と、
前記モバイルデバイスで利用されるアプリケーションは前記コアネットワークによって前記リソース割り付けの始動を好むということを表示する前記少なくとも１つの他のインジケータまたは構成を受信するための手段と、
前記第１のインジケータと前記少なくとも１つのインジケータとに少なくとも部分的に基づいて、前記モバイルデバイスのための前記リソース割り付けを前記コアネットワークが始動するべきであるということを決定するための手段と、
をさらに備える請求項１５に記載のワイヤレス通信装置。
【請求項１７】
前記少なくとも１つのインジケータが前記モバイルデバイスによって受信されないとき、または、前記少なくとも１つのインジケータが前記モバイルデバイスについての前記リソース割り付けを前記モバイルデバイスが始動するべきであるということを表示するとき、のうちの少なくとも１つのときに、前記モバイルデバイスについての前記リソース割り付けを前記モバイルデバイスが始動するということを決定するための手段と、
リソース割り付けについてのリクエストを生成するための手段と、
前記モバイルデバイスと前記コアネットワークとの間で前記ベアラを確立することを容易にするために、前記コアネットワークに対してリソース割り付けについての前記リクエストを送信するための手段と、
をさらに備える請求項１５に記載のワイヤレス通信装置。
【請求項１８】
コンピュータプログラムプロダクトであって、コンピュータ可読媒体を備え、前記コンピュータ可読媒体は、
ネットワーク始動のリソース割り付けについてのポリシおよびチャージング制御（ＰＣＣ）はコアネットワークによってサポートされ、前記モバイル通信デバイスについてのリソース割り付けは前記モバイルデバイスまたは前記コアネットワークによって始動されるべきであるかどうかを表示する少なくとも１つのインジケータをコンピュータに受信させるための第１セットのコードと、
前記少なくとも１つのインジケータに少なくとも部分的に基づき前記モバイル通信デバイスまたは前記コアネットワークによって始動される前記リソース割り付けにしたがって前記モバイル通信デバイスと前記コアネットワークとの間でベアラをセットアップさせるための第２セットのコードと、
を備えている、
コンピュータプログラムプロダクト。
【請求項１９】
アクセスネットワークに対してコンピュータに接続させるための第３セットのコードと、
前記モバイル通信デバイスと関連づけられた前記ネットワークは前記コアネットワークによってネットワーク始動のリソース割り付けについてのポリシ及びチャージング制御（ＰＣＣ）をサポートするということを表示する前記第１のインジケータをコンピュータに受信させるための第４セットのコードと、
前記モバイル通信デバイスで利用されるアプリケーションは前記コアネットワークによる前記リソース割り付けの始動を好むということを表示する前記少なくとも１つの他のインジケータまたは構成をコンピュータに受信させるための第５セットのコードと、
前記第１のインジケータと前記少なくとも１つのインジケータとに少なくとも部分的に基づいて、前記モバイル通信デバイスについての前記リソース割り付けを前記コアネットワークが始動するということをコンピュータに決定させるための第６セットのコードと、
についてのコードを備えているコンピュータ可読媒体、
をさらに備えている請求項１８に記載のコンピュータプログラムプロダクト。
【請求項２０】
前記少なくとも１つのインジケータのうちの少なくとも１つが前記モバイル通信デバイスによって受信されないとき、または、前記モバイル通信デバイスについての前記リソース割り付けを前記モバイル通信デバイスが始動するということを前記少なくとも１つのインジケータが表示するとき、のうちの少なくとも１つのときに、前記モバイル通信デバイスについての前記リソース割り付けを前記モバイル通信デバイスが始動するということをコンピュータに決定させるための第３セットのコードと、
リソース割り付けについてのリクエストをコンピュータに生成させるための第４セットのコードと、
前記モバイル通信デバイスと前記コアネットワークとの間で前記ベアラを確立することを容易にするために、前記コアネットワークに対し、リソース割り付けについての前記リクエストをコンピュータに送信させるための第５セットのコードと、
についてのコードを備えているコンピュータ可読媒体、
をさらに備えている請求項１８に記載のコンピュータプログラムプロダクト。
【請求項２１】
ワイヤレス通信システムにおいて、
ネットワーク始動のリソース割り付けについてのポリシ及びチャージング制御（ＰＣＣ）はコアネットワークによってサポートされ、前記モバイルデバイスについてのリソース割り付けは前記モバイルデバイスまたは前記コアネットワークによって始動されるべきであるかどうかを表示する少なくとも１つのインジケータを受信するように、
前記少なくとも１つのインジケータに部分的に基づいて、前記モバイルデバイスまたは前記コアネットワークによって始動される前記リソース割り付けにしたがって前記モバイルデバイスと前記コアネットワークとの間でベアラを確立するように、
構成されたプロセッサ、
を備える装置。
【請求項２２】
モバイルデバイスと関連づけられた通信を容易にする方法であって、
ネットワーク始動のリソース割り付けについてのポリシ及びチャージング制御（ＰＣＣ）がサポートされること、そして、コアネットワークは前記モバイルデバイスと関連づけられたリソース割り付けを始動するということまたは前記モバイルデバイスは前記モバイルデバイスと関連づけられた前記リソース割り付けを始動するということのうちの少なくとも１つ、を前記モバイルデバイスに対して表示することを容易にするために、前記モバイルデバイスに対して少なくとも１つのインジケータを送信することと、
前記少なくとも１つのインジケータに少なくとも部分的に基づき、前記モバイルデバイスまたは前記コアネットワークによって始動される前記リソース割り付けにしたがって、前記モバイルデバイスと前記コアネットワークとの間でベアラを確立することと、
を備えている方法。
【請求項２３】
前記少なくとも１つのインジケータは、第１のインジケータと少なくとも１つの他のインジケータとを備えており、
前記モバイルデバイスに対して前記第１のインジケータを送信することと、なお、前記第１のインジケータは、ネットワーク始動のリソース割り付けについてのポリシ及びチャージング制御（ＰＣＣ）が前記モバイルデバイスと関連づけられた前記コアネットワークによってサポートされる、ということを表示する；
前記モバイルデバイスに対して前記少なくとも１つの他のインジケータまたは構成を送信することと、なお、前記少なくとも１つの他のインジケータは、前記リソース割り付けの始動が前記モバイルデバイスで利用されるアプリケーションによって好まれるということを表示する；
前記第１のインジケータと前記少なくとも１つの他のインジケータとに少なくとも部分的に基づいて、前記リソース割り付けを前記コアネットワークが始動するということを決定することと；
前記ベアラを確立することを容易にするために前記リソース割り付けを始動するということと；
をさらに備えている、請求項２２に記載の方法。
【請求項２４】
タイプ２アプリケーションのためのポリシ及びチャージングルール機能（ＰＣＲＦ）を構成することと、なお、前記タイプ２アプリケーションは、オペレーションの好まれるモードとしてネットワーク始動のリソース割り付けを利用するがモバイルデバイス始動のリソース割り付けをサポートすることを容易にする、オペレータ制御アプリケーションである、
をさらに備えている請求項２３に記載の方法。
【請求項２５】
前記コアネットワークと関連づけられた、前記ポリシ及びチャージングルール機能（ＰＣＲＦ）とシグナリングゲートウェイ（ＳＧＷ）との間でゲートウェイ制御セッションをセットアップすることと、なお、ネットワーク始動のリソース割り付けについてのサポートが表示される；
前記コアネットワークと関連づけられた、前記ポリシ及びチャージングルール機能（ＰＣＲＦ）とパブリックデータネットワークゲートウェイ（ＰＧＷ）との間でインターネットプロトコル接続アクセスネットワークをセットアップすることと、なお、ネットワーク始動のリソース割り付けのためのサポートが表示される；
をさらに備えている請求項２４に記載の方法。
【請求項２６】
前記タイプ２アプリケーションは前記モバイルデバイスで利用されているということを表示する情報を備えているサービス情報を受信することと、
ポリシ及びチャージング制御（ＰＣＣ）ルールをプロビジョンすることと、
前記ベアラを確立することを容易にするためにサービス品質（ＱｏＳ）をプロビジョンすることと、
をさらに備えている請求項２５に記載の方法。
【請求項２７】
モバイルデバイス始動のリソース割り付けのみをサポートしているアプリケーションは前記モバイルデバイスで利用されるということを表示しているサービス情報を受信することと；
前記モバイルデバイスに対して少なくとも１つのインジケータを送信することと、なお、前記少なくとも１つのインジケータは、ネットワーク始動のリソース割り付けについての前記ポリシ及びチャージング制御（ＰＣＣ）はサポートされておらず、リソース割り付けは前記モバイルデバイスによって始動されるということを表示する、
前記モバイルデバイスに対して前記少なくとも１つのインジケータの送信を省略することと、なお、前記少なくとも１つのインジケータは、前記コアネットワークによる前記リソース割り付けの始動はサポートされ好まれるということを表示する、
のうちの少なくとも１つと；
前記モバイルデバイスが前記リソース割り付けを始動するということを決定することと；
前記ベアラを確立することを容易にするために、前記モバイルデバイスから、前記リソース割り付けについてのリクエストを受信することと；
をさらに備えている請求項２２に記載の方法。
【請求項２８】
前記モバイルデバイスがローミングしているということを表示する情報を受信することと、なお、モバイルデバイス始動のリソース割り付けのみをサポートするアプリケーション、または、ネットワーク始動のリソース割り付けを好むがモバイルデバイス始動のリソース割り付けをサポートするアプリケーション、は前記モバイルデバイスで利用される；
前記モバイルデバイスが前記リソース割り付けを始動するということを決定することと；
前記ベアラを確立することを容易にするために、前記モバイルデバイスから、前記リソース割り付けについてのリクエストを受信することと；
をさらに備えている請求項２２に記載の方法。
【請求項２９】
ネットワーク始動のリソース割り付けについてのポリシ及びチャージング制御（ＰＣＣ）がサポートされること、そしてコアネットワークは前記モバイルデバイスと関連づけられたリソース割り付けを始動することまたは前記モバイルデバイスは前記モバイルデバイスと関連づけられた前記リソース割り付けを始動することのうちの少なくとも１つを前記モバイルデバイスに対して表示することを容易にするためのモバイル通信デバイスに対する少なくとも１つのインジケータの送信と、前記少なくとも１つのインジケータに少なくとも部分的に基づき前記モバイルデバイスまたは前記コアネットワークによって始動される前記リソース割り付けにしたがって前記モバイルデバイスと前記コアネットワークとの間のベアラの確立と、に関する命令を保持するメモリと、
前記メモリに結合され、前記メモリにおいて保持される前記命令を実行するように構成されたプロセッサと、
を備えるワイヤレス通信装置。
【請求項３０】
前記少なくとも１つのインジケータは、ネットワーク始動のリソース割り付けは前記モバイルデバイスと関連づけられた前記コアネットワークによってサポートされるということを表示するＰＣＣサポートインジケータ、または、ネットワーク始動のリソース割り付けが前記モバイルデバイスと関連づけられるアプリケーションによって好まれるということを表示するネットワーク始動の好まれるインジケータまたは構成、のうちの少なくとも１つを備えている、請求項２９に記載のワイヤレス通信装置。
【請求項３１】
前記メモリは、
前記モバイルデバイスに対する接続と、
前記モバイルデバイスに対する前記ＰＣＣサポートインジケータの送信と、
前記モバイルデバイスの前記ネットワーク始動の好まれるインジケータの送信と、
前記コアネットワークは、前記ネットワーク始動のサポートインジケータと前記ネットワーク始動の好まれるインジケータと、ネットワーク始動のリソース割り付けを好むがモバイルデバイス始動のリソース割り付けをサポートするアプリケーションがモバイルデバイスで利用されているということを表示する受信情報と、に少なくとも部分的に基づいて、前記モバイル通信デバイスのための前記リソース割り付けを始動するという決定と、
に関する命令を保持する、請求項３０に記載のワイヤレス通信装置。
【請求項３２】
モバイル通信デバイスと関連づけられる通信を容易にするワイヤレス通信装置であって、
ネットワーク始動のリソース割り付けについてのポリシ及びチャージング制御（ＰＣＣ）がサポートされていること、そして、コアネットワークは前記モバイルデバイスと関連づけられたリソース割り付けを始動することまたは前記モバイルデバイスは前記モバイルデバイスと関連づけられた前記リソース割り付けを始動することのうちの少なくとも１つ、を前記モバイル通信デバイスに対して表示することを容易にするために前記モバイル通信デバイスに対し少なくとも１つのインジケータを送信するための手段と、
前記少なくとも１つのインジケータに少なくとも部分的に基づいて、前記モバイル通信デバイスまたは前記コアネットワークによって始動される前記リソース割り付けにしたがって、前記モバイル通信デバイスと前記コアネットワークとの間でベアラをセットアップするための手段と、
を備えているワイヤレス通信装置。
【請求項３３】
前記モバイルデバイスに対して前記第１のインジケータを送信するための手段と、なお、前記第１のインジケータは、ネットワーク始動のリソース割り付けについてのポリシ及びチャージング制御（ＰＣＣ）はサポートされること、そして、前記リソース割り付けの始動は前記モバイル通信デバイスと関連づけられる前記コアネットワークによってサポートされること、を表示する；
前記モバイル通信デバイスに対して前記少なくとも１つの他のインジケータまたは構成を送信するための手段と、なお、前記少なくとも１つの他のインジケータは、前記リソース割り付けの始動は、前記モバイル通信デバイスで利用されるアプリケーションによって好まれる；
前記第１のインジケータと前記少なくとも１つの他のインジケータとに少なくとも部分的に基づいて前記リソース割り付けを前記コアネットワークが始動するということを決定するための手段と；
前記ベアラを確立することを容易にするために前記リソース割り付けを始動することと；
前記ベアラを確立することを容易にするために前記リソース割り付けを始動するための手段と；
更に備えている請求項３２に記載のワイヤレス通信装置。
【請求項３４】
コンピュータプログラムプロダクトであって、
ネットワーク始動のリソース割り付けについてのポリシ及びチャージング制御（ＰＣＣ）がサポートされること、そして、コアネットワークは前記モバイルデバイスと関連づけられたリソース割り付けを始動することまたは前記モバイルデバイスは前記モバイルデバイスと関連づけられた前記リソース割り付けを始動することのうちの少なくとも１つ、を前記モバイル通信デバイスに対して表示することを容易にするために前記モバイル通信デバイスに対して少なくとも１つのインジケータをコンピュータに送信させるための第１セットのコードと、
前記少なくとも１つのインジケータに少なくとも部分的に基づいて、前記モバイル通信デバイスまたは前記コアネットワークによって始動される前記リソース割り付けにしたがって、前記モバイル通信デバイスと前記コアネットワークとの間でベアラをコンピュータに確立させるための第２セットのコードと、
についてのコードを備えているコンピュータ可読媒体、
を備えるコンピュータプログラムプロダクト。
【請求項３５】
前記モバイル通信デバイスに対して前記第１のインジケータをコンピュータに送信させるための第３セットのコードと、なお、前記第１のインジケータは、ネットワーク始動のリソース割り付けについてのポリシ及びチャージング制御（ＰＣＣ）がサポートされること、そして、前記リソース割り付けの始動は前記モバイル通信デバイスと関連づけられる前記コアネットワークによってサポートされること、を表示する；
前記モバイル通信デバイスに対して少なくとも１つの他のインジケータまたは構成をコンピュータに送信させるための第４セットのコードと、なお、前記少なくとも１つの他のインジケータは、前記リソース割り付けの始動は前記モバイル通信デバイスで利用されるアプリケーションによって好まれるということを表示する；
前記第１のインジケータと前記少なくとも１つの他のインジケータとに基づいて、前記リソース割り付けを前記コアネットワークが始動するということをコンピュータに決定させるための第５セットのコードと；
前記ベアラを確立することを容易にするために、前記リソース割り付けをコンピュータに始動させるための第６セットのコードと；
についてのコードを備えているコンピュータ可読媒体、
をさらに備える請求項３４に記載のコンピュータプログラムプロダクト。
【請求項３６】
タイプ２アプリケーションのためのポリシ及びチャージングルール機能（ＰＣＲＦ）をコンピュータに構成させるための第７セットのコード、についてのコードを備えているコンピュータ可読媒体、をさらに備え、なお、前記タイプ２アプリケーションは、オペレーションの好まれるモードとしてネットワーク始動のリソース割り付けを利用するがモバイルデバイス始動のリソース割り付けをサポートすることも容易にする、オペレータ制御アプリケーションである、請求項３５に記載のコンピュータプログラムプロダクト。
【請求項３７】
前記タイプ２アプリケーションは前記モバイル通信デバイスで使用されていることを表示している情報を備えているサービス情報をコンピュータに受信させるための第８セットのコードと、
ポリシ及びチャージング制御（ＰＣＣ）ルールをコンピュータにプロビジョンさせるための第９セットのコードと、
前記ベアラを確立することを容易にするためにサービス品質（ＱｏＳ）をコンピュータにプロビジョンさせるための第１０セットのコードと、
についてのコードを備えているコンピュータ可読媒体、
をさらに備える請求項３５に記載のコンピュータプログラムプロダクト。
【請求項３８】
モバイル通信デバイス始動のリソース割り付けのみをサポートするタイプ１アプリケーションは前記モバイル通信デバイスで使用されるということを表示しているサービス情報をコンピュータに受信させるための第３セットのコードと；
前記モバイルデバイスに対して少なくとも１つのインジケータを送信することと、なお、前記少なくとも１つのインジケータは、前記リソース割り付けが前記モバイル通信デバイスによって始動されることを表示する、
前記モバイルデバイスに対して前記少なくとも１つのインジケータの送信を省略することと、なお、前記少なくとも１つのインジケータは、前記コアネットワークによる前記リソース割り付けの始動がサポートされ好まれるということを表示する、
のうちの少なくとも１つをコンピュータにさせるための第４セットのコードと；
前記モバイル通信デバイスが前記リソース割り付けを始動するということをコンピュータに決定させるための第５セットのコードと；
前記ベアラを確立することを容易にするために、前記モバイルデバイスから、前記リソース割り付けについてのリクエストをコンピュータに受信させるための第６セットのコードと；
についてのコードを備えているコンピュータ可読媒体、
をさらに備えている請求項３２に記載のコンピュータプログラムプロダクト。
【請求項３９】
ワイヤレス通信システムにおいて、装置は、
ネットワーク始動のリソース割り付けについてのポリシ及びチャージング制御（ＰＣＣ）がサポートされること、そしてコアネットワークは前記モバイルデバイスと関連づけられたリソース割り付けを始動することまたは前記モバイルデバイスは前記モバイルデバイスと関連づけられた前記リソース割り付けを始動することのうちの少なくとも１つを前記モバイル通信デバイスに対して表示することを容易にするために前記モバイル通信デバイスに対して少なくとも１つのインジケータを送信するように、
前記少なくとも１つのインジケータに少なくとも部分的に基づいて、前記モバイル通信デバイスまたは前記コアネットワークによって始動される前記リソース割り付けにしたがって、前記モバイル通信デバイスと前記コアネットワークとの間でベアラをセットアップするように、
構成されたプロセッサ、
を備える装置。
【発明の詳細な説明】
【優先権主張】
【０００１】
(米国特許法の下の優先権主張)
本願は、ここにおける参照により明示的にここに組み込まれ、ここでの譲受人に譲渡され、２００８年６月１７日に出願された「モバイル及びネットワークにおけるネットワーク始動のサービス品質のセットアップを扱うための方法(METHOD FOR HANDLING NETWORK INITIATED QUALITY OF SERVICE SETUP IN MOBILE AND NETWORK)」の仮出願第６１／０７３，２１８号の優先権を主張する。
【背景】
【０００２】
（分野）
下記の記載は、一般的にはワイヤレス通信(wireless communications)に関し、より具体的には、そしてモバイルデバイスとネットワークにおいてネットワーク始動のサービス品質(Quality of Service)（ＱｏＳ）セットアップを管理することに関する。
【０００３】
（背景）
ワイヤレス通信システムは、様々なタイプの通信を提供するように広く展開されており、例えば、ボイス及び/またはデータは、そのようなワイヤレス通信システムを介して提供されることができる。一般的なワイヤレス通信システム、すなわちネットワークは、1以上の共有されるリソース(例えば帯域幅、送信パワー、…)に対し、複数のユーザアクセスを提供することができる。例えば、システムは、周波分割多重化(ＦＤＭ)、時分割多重化（ＴＤＭ）、符号分割多重化（ＣＤＭ）、第３世代パートナーシッププロジェクト（３ＧＰＰ）ロングタームエボリューション（ＬＴＥ）システム、直交周波数分割多重化（ＯＦＤＭ）、及び他のような様々な多元接続技術を使用することができる。
【０００４】
一般に、ワイヤレス多元接続通信システムは、マルチプルモバイルデバイスのための通信を同時にサポートすることができる。各モバイルデバイスは、順方向リンク及び逆方向リンク上の送信を介して1つまたは複数の基地局と通信することができる。順方向リンク(あるいはダウンリンク)は、基地局から端末までの通信リンクを指し、逆方向リンク(あるいはアップリンク)は端末から基地局までの通信リンクを指す。この通信リンクは、シングルインプットシングルアウトプット(ＳＩＳＯ)、マルチプルインプットシングルアウトプット(ＭＩＳＯ)、あるいは、マルチプルインプットマルチプルアウトプット(ＭＩＭＯ)システムを介して確立されることができる。
【０００５】
例えば、ＭＩＭＯシステムはデータ伝送のためにマルチプルの（ＮＴ）送信アンテナとマルチプルの（ＮＲ）受信アンテナを利用することができる。ＮＴ送信アンテナとＮＲ受信アンテナによって形成されるＭＩＭＯチャネルは、Ｎｓ独立チャネルに分解されることができ、そしてそれらはまた、空間チャネルとも呼ばれる。なお、Ｎｓ≦min{ＮＴ,ＮＲ}である。Ｎｓ独立したチャネルの各々は、大きさに対応することができる。マルチプルの送信及び受信アンテナによって生成されるさらなる次元(dimensionalities)が利用される場合には、ＭＩＭＯシステムは改善された性能（例、より高いスループット及び／またはより大きな信頼性）を提供することができる。
【０００６】
ＭＩＭＯシステムは、時分割デュプレクス（ＴＤＤ）及び周波数分割デュプレクス（ＦＤＤ）システムをサポートすることができる。ＴＤＤシステムでは、順方向及び逆方向リンクの送信は、同じ周波数領域上にあることができるので、相反原理(reciprocity principle)は、逆方向リンクチャネルからの順方向リンクチャネルの推定を可能にする。このことは、複数のアンテナがアクセスポイントにおいて利用可能であるときに、順方向リンク上の送信ビームフォーミング利得(transmit beamforming gain)をアクセスポイントが抽出することを可能にする。
【０００７】
ワイヤレス通信システムは、サービスエリアを提供する1以上の基地局をしばしば使用する。一般的な基地局は、ブロードキャストサービス、マルチキャストサービス、及び／または、ユニキャストサービスのためのマルチプルデータストリームを送信することができ、ここにおいては、データストリームは、モバイルデバイスに対して独立受信対象であることができるデータのストリームであってもよい。そのような基地局のサービスエリア内のモバイルデバイスは、合成ストリームによって搬送される、１つの、1以上の、あるいはすべてのデータストリームに対して利用されることができる。同様に、モバイルデバイスは、基地局あるいは別のモバイルデバイスに対してデータを送信することができる。
【０００８】
従来、ＬＴＥ／ＳＡＥは、ＵＥまたはネットワークのいずれかがアプリケーションについてのリソースをセットアップするためのプロセスを始動することができる、ＱｏＳセットアップについてオペレーションのミックスモード(mixed mode)を可能にしてきた。しかしながら、現在の標準規格は、ミックスモードオペレーションの使用から生じることができるリソースを待機することにおける競合状態(race conditions)または長い遅延(long delays)を回避することに関してガイダンスを提供していない。例えば、ＵＥとネットワークがそれぞれアプリケーションのためのリソースをセットアップすることを試みる場合には、ＵＥによって始動されるプロセスがネットワークによって始動されるプロセスと衝突する、または、交差する（cross）可能性がある、マルチプル競合状態がありうる。別の例では、ＵＥはネットワークにリソースをセットアップすることを期待しているが、リソースセットアップを始動するのに必要とされたポリシ及びチャージング制御機能をネットワークが有さない場合には、ＵＥは、あるアプリケーションのために望ましいＱｏＳを受信しないであろう。ミックスモードオペレーションの使用から生じる可能性があるリソースを待機することにおける競合状態または長い遅延を回避しながら、ＱｏＳセットアップのためのオペレーションのミックスモードを利用することができることが望ましい。
【発明の概要】
【０００９】
以下は、そのような態様の基本的な理解を提供するために、１つまたは複数の態様の簡略な概要を提示する。この概要は、すべての熟考された態様の広範囲な全体像ではなく、すべての態様の重要なあるいは決定的なエレメントを識別することも、あるいは、いずれあるいはすべての態様の範囲を詳細に描写することも、意図されていない。その唯一の目的は、後で提示される、より詳細な説明の前置きとして、簡略化された形で１つまたは複数の態様のいくつかの概念(concepts)を示すことである。
【００１０】
１以上の実施形態とその対応する開示にしたがって、通信デバイスのためのネットワーク（ＮＷ）始動のリソース割り付け（例、サービス品質（ＱｏＳ））とＵＥ始動のリソース割り付けの利用を管理することによって、ネットワーク内で、効率的な接続と通信デバイス（例、モバイル通信デバイス、ユーザ機器（ＵＥ）とも呼ばれる）と関連づけられた通信を容易にすることと関連して様々な態様が記載されている。ＵＥがコアネットワークと関連づけられるアクセスネットワークに接続するとき、ＵＥ始動のリソース割り付けのみをサポートし、そしてオペレータ制御アプリケーションであるまたはオペレータ制御アプリケーションでない、のいずれかであることができるタイプ１アプリケーション、または、ＮＷ始動のリソース割り付けを好むがＵＥ始動のリソース割り付けもサポートし、そして通常オペレータ制御アプリケーションであることができるタイプ２アプリケーション、が通信デバイスで利用されることができる。一態様では、動的なＮＷ始動のリソース割り付けを利用することを容易にするために、ポリシ及びチャージング制御（ＰＣＣ）はサポートされる必要があり、なお、コアネットワークにおけるポリシ及びチャージングルール機能（ＰＣＲＦ）はＰＣＣ／ＱＯＳルールを認可し、ＮＷ始動のリソース割り付けをトリガするためにネットワーク内で適切なゲートウェイに対してルールをプロビジョンする。別の態様では、ＮＷ始動のリソース割り付けを利用し、ネットワークがリソースをセットアップすることをＵＥが待機すべきかどうかに関する曖昧さを解決するために、コアネットワークは、ＮＷ始動のリソース割り付けについてのＰＣＣは通信デバイスと関連づけられた現在のネットワークによってサポートされるということを、通信デバイスに対して、表示するインジケータ（例、ＰＣＣサポートインジケータ）を送信することができる。通信デバイスは、インジケータ（単数または複数）を受信することができ、ＮＷ始動のリソース割り付けが利用されるべきであるということを決定することができ、コアネットワークは、通信デバイスとコアネットワークとの間でベアラを確立することを容易にするためにリソース割り付けを始動することができる。インジケータ（例、ＰＣＣサポートインジケータ）が通信デバイスによって受信されない場合には、または、通信デバイスがＮＷ始動のリソース割り付けについてのＰＣＣがネットワークによってサポートされないということを表示するインジケータを受信する場合には、通信デバイスはＵＥ始動のリソース割り付けが利用されるということを決定することができ、通信デバイスは、通信デバイスについてのリソースを割り付けることと通信デバイスとコアネットワークとの間でベアラを確立することとを容易にするために、コアネットワークに対してリソース割り付けについてのリクエストを生成し送信することができる。さらに別の態様では、タイプ２アプリケーションが利用されているが通信デバイスがローミングするとき、ローミングネットワークは、ＰＣＣフレームワークをサポートしない可能性があり、したがって、ＰＣＣがサポートされないということを通信デバイスに対して表示することができる。ホームＰＣＲＦがアプリケーションのためにＮＷ始動のリソース割り付けを好むように構成されたとしても、通信装置は、ＵＥ始動のリソース割り付けを使用しなければならない可能性がある。
【００１１】
関連態様によると、モバイル通信デバイスと関連づけられた通信を容易にする方法がここにおいて記載されている。該方法は、モバイル通信デバイスのためのリソース割り付けがモバイル通信デバイスまたはコアネットワークによって始動するかどうかを決定することを容易にするために、ネットワーク始動のリソース割り付けについてのポリシ及びチャージング制御（ＰＣＣ）がコアネットワークによってサポートされるかどうかを少なくとも表示する少なくとも１つのインジケータを受信することを含むことができる。さらに、該方法は、少なくとも１つのインジケータに少なくとも部分的に基づいてモバイル通信デバイスまたはコアネットワークによって始動されるリソース割り付けにしたがってモバイル通信デバイスとコアネットワークとの間でベアラを確立することを備えることができる。
【００１２】
別の態様はワイヤレス通信装置に関する。ワイヤレス通信装置は、ネットワーク始動のリソース割り付けについてのＰＣＣはコアネットワークによってサポートされ、モバイル通信デバイスについてのリソース割り付けはモバイル通信デバイスまたはコアネットワークによって始動するかどうかを表示する少なくとも１つのインジケータの受信と；少なくとも１つのインジケータに少なくとも部分的に基づいて前記モバイル通信デバイスまたはコアネットワークによって始動されるリソース割り付けにしたがってモバイル通信デバイスとコアネットワークとの間のベアラのセットアップと；に関する命令を保持するメモリ、を含むことができる。さらに、ワイヤレス通信装置は、メモリに結合され、そのメモリにおいて保持される命令を実行するように構成されたプロセッサを含むことができる。
【００１３】
さらに、別の態様は、モバイルデバイスと関連づけられた通信を容易にするワイヤレス通信装置に関する。ワイヤレス通信装置は、ネットワーク始動のリソース割り付けについてのＰＣＣはコアネットワークによってサポートされ、モバイルデバイスについてのリソース割り付けはモバイルデバイスまたはコアネットワークによって始動されるかどうかを表示する少なくとも１つのインジケータを受信するための手段を含むことができる。さらに、ワイヤレス通信装置は、少なくとも１つのインジケータに少なくとも部分的に基づいてモバイル通信デバイスまたはコアネットワークによって始動されるリソース割り付けにしたがってモバイル通信デバイスとコアネットワークとの間でベアラを確立するための手段を備えることができる。
【００１４】
さらに別の態様では、コンピュータプログラムプロダクトに関しており、コンピュータプログラムプロダクトは、コンピュータ可読媒体を備え、コンピュータ可読媒体は、ネットワーク始動のリソース割り付けについてのＰＣＣはコアネットワークによってサポートされ、モバイル通信デバイスについてのリソース割り付けはモバイル通信デバイスまたはコアネットワークによって始動するかどうかを表示する少なくとも１つのインジケータをコンピュータに受信させるための第１セットのコードと；少なくとも１つのインジケータに少なくとも部分的に基づいてモバイル通信デバイスまたはコアネットワークによって始動されるリソース割り付けにしたがってモバイル通信デバイスとコアネットワークとの間でベアラをコンピュータにセットアップさせるための第２セットのコードと；を備えている。
【００１５】
別の態様では、ワイヤレス通信システムにおける装置は、プロセッサを含むことができ、なお、該プロセッサは、ネットワーク始動のリソース割り付けについてのＰＣＣはコアネットワークによってサポートされ、モバイルデバイスについてのリソース割り付けはモバイルデバイスまたはコアネットワークによって始動されるかどうかを表示する少なくとも１つのインジケータを受信するように構成されることができる。さらに、プロセッサは、少なくとも１つのインジケータに少なくとも部分的に基づいてモバイルデバイスまたはコアネットワークによって始動されるリソース割り付けにしたがってモバイルデバイスとコアネットワークとの間でベアラを確立するように構成されることができる。
【００１６】
他の態様によると、モバイルデバイスと関連づけられた通信を容易にする方法はここにおいて記載されている。該方法は、ネットワーク始動のリソース割り付けについてのＰＣＣがサポートされること、そして、コアネットワークは前記モバイルデバイスと関連づけられたリソース割り付けを始動することまたは前記モバイルデバイスは前記モバイルデバイスと関連づけられた前記リソース割り付けを始動することのうちの少なくとも１つ、をモバイルデバイスに対して表示することを容易にするためにモバイルデバイスに対して少なくとも１つのインジケータを送信することを含むことができる。さらに、方法は、少なくとも１つのインジケータに少なくとも部分的に基づいて前記モバイル通信デバイスまたはコアネットワークによって始動されるリソース割り付けにしたがってモバイル通信デバイスとコアネットワークとの間でベアラを確立することを備えることができる。
【００１７】
さらに、別の態様は、ネットワーク始動のリソース割り付けについてのＰＣＣがサポートされること、そしてコアネットワークは前記モバイルデバイスと関連づけられたリソース割り付けを始動することまたは前記モバイルデバイスは前記モバイルデバイスと関連づけられた前記リソース割り付けを始動することのうちの少なくとも１つをモバイルデバイスに対して表示することを容易にするための、モバイル通信デバイスに対する少なくとも１つのインジケータの送信と、少なくとも１つのインジケータに少なくとも部分的に基づいて前記モバイル通信デバイスまたはコアネットワークによって始動されるリソース割り付けにしたがってモバイル通信デバイスとコアネットワークとの間でベアラの確立と、に関する命令を保持するメモリ、を含むことができるワイヤレス通信装置に関する。さらに、ワイヤレス通信装置は、メモリに結合され、メモリにおいて保持される命令を実行するように構成されたプロセッサ、を備えることができる。
【００１８】
別の態様は、モバイルデバイスと関連づけられた通信を容易にするワイヤレス通信装置に関する。ワイヤレス通信装置は、ネットワーク始動のリソース割り付けについてのＰＣＣがサポートされること、そして、コアネットワークは前記モバイルデバイスと関連づけられたリソース割り付けを始動することまたは前記モバイルデバイスは前記モバイルデバイスと関連づけられた前記リソース割り付けを始動することのうちの少なくとも１つを前記モバイルデバイスに対して表示することを容易にするために、モバイル通信デバイスに対して少なくとも１つのインジケータを送信するための手段を含むことができる。さらに、ワイヤレス通信装置は、少なくとも１つのインジケータに少なくとも部分的に基づいてモバイル通信デバイスまたはコアネットワークによって始動されるリソース割り付けにしたがってモバイル通信デバイスとコアネットワークとの間でベアラをセットアップするための手段を含むことができる。
【００１９】
さらに別の態様はコンピュータプログラムプロダクト(computer program product)に関しており、コンピュータ可読媒体(computer-readable medium)を備え、コンピュータ可読媒体は、ネットワーク始動のリソース割り付けについてのポリシ及びチャージング制御（ＰＣＣ）がサポートされること、そしてコアネットワークはモバイルデバイスと関連づけられたリソース割り付けを始動することまたはモバイルデバイスは前記モバイルデバイスと関連づけられたリソース割り付けを始動することのうちの少なくとも１つ、を前記モバイル通信デバイスに対して表示することを容易にするためにモバイル通信デバイスに対して少なくとも１つのインジケータをコンピュータに送信させるための第１セットのコードと、少なくとも１つのインジケータに少なくとも部分的に基づいてモバイル通信デバイスまたはコアネットワークによって始動されるリソース割り付けにしたがってモバイル通信デバイスとコアネットワークとの間でベアラをコンピュータに確立させるための第２セットのコードと、のコードを備えている。
【００２０】
別の態様によると、ワイヤレス通信システムにおける装置はプロセッサを含むことができ、該プロセッサは、ネットワーク始動のリソース割り付けについてのポリシ及びチャージング制御（ＰＣＣ）がサポートされること、そしてコアネットワークはモバイルデバイスと関連づけられたリソース割り付けを始動することまたはモバイルデバイスは前記モバイルデバイスと関連づけられたリソース割り付けを始動することのうちの少なくとも１つ、をモバイル通信デバイスに対して表示することを容易にするためにモバイル通信デバイスに対して少なくとも１つのインジケータを送信するように構成されることができる。さらにプロセッサは、少なくとも１つのインジケータに少なくとも部分的に基づいてモバイル通信デバイスまたはコアネットワークによって始動されるリソース割り付けにしたがってモバイル通信デバイスとコアネットワークとの間でベアラをセットアップするように構成されている。
【００２１】
前述及び関連の目的の達成のために、１つまたは複数の態様は、ここで十分に説明され、特許請求の範囲で特に指摘された特徴を備えることができる。下記の説明及び添付図面は、１つまたは複数の態様のある説明の特徴を詳細に記載している。しかしながら、これらの特徴は、様々な態様の原理が利用されることができるいくつかの様々な方法を示しているが、この説明は、すべてのそのような態様及びそれらの均等(equivalents)を含むように意図されている
【図面の簡単な説明】
【００２２】
【図１】図１はここに提示された様々な実施形態にしたがって、ワイヤレス通信システムを図示する。
【図２】図２は、本開示の主題の事柄の様々な態様にしたがって、ユーザ機器（ＵＥ）始動の及びネットワーク（ＮＷ）始動のリソース割り付けリクエストを図示する例示的な呼び出しフローを図示する。
【図３】図３は、主題のイノベーションの態様（単数または複数）にしたがって、ＮＷ始動のリソース割り付けとＵＥ始動のリソース割り付けとを管理することを容易にすることができる例示的な技術を示す例示的な呼び出しフローを図示する。
【図４】図４は、ここにおいて提示される様々な実施形態にしたがって、ＮＷ始動のリソース割り付けとＵＥ始動のリソース割り付けの管理を容易にすることができるワイヤレス通信システムを図示する。
【図５】図５は、ここにおいて提示される様々な実施形態にしたがって、ＮＷ始動のリソース割り付けとＵＥ始動のリソース割り付けの管理を容易にすることができる別のワイヤレス通信システムを図示する。
【図６】図６は、開示された主題の事柄の態様にしたがって、ワイヤレス通信環境においてＵＥと関連づけられた通信を容易にするためにワイヤレス通信環境におけるＮＷ始動のリソース割り付けとＵＥ始動のリソース割り付けを管理することを容易にすることができる例示的な方法の例を図示する。
【図７】図７は、開示された主題の事柄の態様にしたがって、ワイヤレス通信環境においてＵＥと関連づけられた通信を容易にするためにワイヤレス通信環境におけるＮＷ始動のリソース割り付けとＵＥ始動のリソース割り付けを管理することを容易にすることができる例示的な方法の別の例を図示する。
【図８】図８は、開示された主題の事柄の態様にしたがって、ワイヤレス通信環境においてＵＥと関連づけられた通信を容易にするためにワイヤレス通信環境におけるＮＷ始動のリソース割り付けとＵＥ始動のリソース割り付けを管理することを容易にすることができる例示的な方法の別の例を図示する。
【図９】図９は、開示された主題の態様にしたがってワイヤレス通信環境におけるモバイルデバイスと関連づけられた通信を容易にすることができるモバイルデバイスの例である。
【図１０】図１０は、開示された主題の態様にしたがってワイヤレス通信環境におけるモバイルデバイスと関連づけられた通信を容易にすることができるシステムの例である。
【図１１】図１１は、開示された主題の態様にしたがってワイヤレス通信システムの例を図示する。
【図１２】図１２は、ワイヤレス通信環境におけるモバイルデバイスと関連づけられた通信を容易にすることができるシステムを図示する。
【図１３】図１３は、ワイヤレス通信環境におけるモバイルデバイスと関連づけられた通信を容易にすることができるシステムを図示する。
【詳細な説明】
【００２３】
様々な態様が、図面を参照して説明されている。次の説明では、説明の目的のために、多くの具体的な詳細が、1つまたは複数の態様の完全な理解を提供するために記載されている。しかしながら、そのような態様(単数または複数)はこれらの特定の詳述なしに、実行されることができるということは、明白であることができる。
【００２４】
本願で使用されているように、用語「コンポーネント(component)」、「モジュール(module)」、「システム(system)」及び同様なものは、例えば、ハードウェア、ファームウェア、ハードウェアとソフトウェアの組み合わせ、ソフトウェア、あるいは実行中のソフトウェア、のようなコンピュータ関連のエンティティを含むように意図されている。例えば、コンポーネントは、限定されてはいないが、プロセッサ上で実行しているプロセス、プロセッサ、オブジェクト(object)、実行ファイル(executable)、実行スレッド(thread of execution)、プログラム、及び/またはコンピュータ、であってもよい。例として、コンピューティングデバイス上で実行しているアプリケーションと該コンピューティングデバイスの両方はコンポーネントであることができる。１つまたは複数のコンポーネントは、プロセス及び/または実行スレッド内に常駐することができ、また、コンポーネントは、1つのコンピュータ上に局在化されてもよいし、かつ/または２以上のコンピュータの間で分散されてもよい。さらに、これらのコンポーネントは、記憶された様々なデータ構造を有している様々なコンピュータ可読媒体から実行することが出来る。コンポーネントは、ローカルな、及び/または、遠隔のプロセスで通信することができ、例えば、ローカルシステムにおいて、分散システムにおいて、及び/または、信号による他のシステムを用いたインターネットのようなネットワークにわたって、別のコンポーネントと相互作用している1つのコンポーネントからのデータのような、1つまたは複数のデータパケットを有する信号にしたがっている。
【００２５】
さらに、様々な態様が、端末に関連してここにおいて説明されており、端末は、ワイヤード端末、または、ワイヤレス端末であることができる。端末はまた、システム、デバイス、加入者ユニット、加入者局、モバイル局、モバイル、モバイルデバイス、遠隔局、遠隔端末、アクセス端末、ユーザ端末、端末、通信デバイス、ユーザエージェント、ユーザデバイス、あるいはユーザ機器(ＵＥ)と呼ばれることができる。ワイヤレス端末は、セルラ電話、衛星電話(satellite phone)、コードレス電話、セッションイニシエーションプロトコル(Session Initiation Protocol)(ＳＩＰ)電話、ワイヤレスローカルループ(wireless local loop)(ＷＬＬ)局、携帯情報端末(personal digital assistant)(ＰＤＡ)、ワイヤレス接続機能を有しているハンドヘルドデバイス、コンピューティングデバイス、あるいはワイヤレスモデムに接続された他のプロセッシングデバイス、であってもよい。さらに、様々な態様は、基地局と関連してここにおいて説明されている。基地局は、ワイヤレス端末(単数または複数)と通信するために使用されることができ、また、アクセスポイント、ノードＢ、あるいはいくつかの他の用語で呼ばれてもよい。
【００２６】
さらに、用語「または(or)」は、排他的な「または(or)」よりもむしろ包括的な「または(or)」を意味するように意図されている。すなわち、指定されていないかぎり、または、文脈から明らかでないかぎり、フレーズ「ＸはＡまたはＢを利用する(X employs A or B)」は、自然な包括的置換(natural inclusive permutations)のうちのいずれかを意味するように意図されている。すなわち、フレーズ「ＸはＡまたはＢを利用する」は、下記の例のうちのいずれかによって満たされている：ＸはＡを利用する；ＸはＢを利用する；あるいは、ＸはＡとＢの両方を利用する。さらに、本願及び添付された特許請求項の範囲において使用されている、冠詞「ａ」及び「ａｎ」は、指定されていないかぎり、または、単数形を対象とすることが文脈から明らかでないかぎり、「１つまたは複数(one or more)」を意味するように一般に解釈されるべきである。
【００２７】
ここにおいて記載された技術は、ＣＤＭＡ、ＴＤＭＡ、ＦＤＭＡ、ＯＦＤＭＡ、ＳＣ−ＦＤＭＡ、及び他のシステムのような様々なワイヤレス通信システムに使用されることができる。用語「システム(system)」及び「ネットワーク(network)」はしばしば互換性をもって使用される。ＣＤＭＡシステムは、ユニバーサル地上無線アクセス（ＵＴＲＡ）、ｃｄｍａ２０００などの無線技術をインプリメントすることができる。ＵＴＲＡは、広帯域ＣＤＭＡ（Ｗ−ＣＤＭＡ）及びＣＤＭＡの他の変形を含む。さらに、ｃｄｍａ２０００は、ＩＳ−２０００、ＩＳ−９５、及びＩＳ−８５６標準を含む。ＴＤＭＡシステムは、モバイル通信のためのグローバルシステム（ＧＳＭ（登録商標））のような無線技術をインプリメントすることができる。ＯＦＤＭＡシステムは、発展型ＵＴＲＡ（Ｅ−ＵＴＲＡ）、ウルトラモバイルブロードバンド(Ultra Mobile Broadband)（ＵＭＢ）、ＩＥＥＥ８０２．２０（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などのような無線技術をインプリメントすることができる。ＵＴＲＡとＥ−ＵＴＲＡは、ユニバーサルモバイルテレコミュニケーションシステム（ＵＭＴＳ）の一部である。３ＧＰＰロングタームエボリューション（ＬＴＥ）は、Ｅ−ＵＴＲＡを使用するＵＭＴＳのリリースであり、そしてそれは、ダウンリンク上でＯＦＤＭＡを、アップリンク上でＳＣ−ＦＤＭＡを、利用する。ＵＴＲＡ、Ｅ−ＵＴＲＡ、ＵＭＴＳ、ＬＴＥ及びＧＳＭは、「第３世代パートナーシッププロジェクト(3rd Generation Partnership Project)」（３ＧＰＰ）と称する組織の文書の中で説明されている。さらに、ｃｄｍａ２０００及びＵＭＢは、「第３世代パートナーシッププロジェクト２(3rd Generation Partnership Project 2)」（３ＧＰＰ２）と称された組織の文書の中で説明されている。さらに、そのようなワイヤレス通信システムは、ペアでないライセンスされていないスペクトラム(unpaired unlicensed spectrums)、８０２．ｘｘワイヤレスＬＡＮ、ＢＬＵＥＴＯＯＴＨ（登録商標）、及びいずれの他の短距離のあるいは長距離のワイヤレス通信技術をしばしば使用している、ピア・ツー・ピア（例、モバイル・ツー・モバイル）アドホックネットワークシステムを追加的に含むことができる。
【００２８】
様々な態様または特徴は、多数のデバイス、コンポーネント、モジュール、及び同様なものを含むことができるシステムの観点から提示されるであろう。様々なシステムは、追加のデバイス、コンポーネント、モジュール、等を含んでもよく、及び/または、図に関連して説明されたデバイス、コンポーネント、モジュール等のすべてを含まなくてもよい、ということは理解され、認識されるべきである。これらのアプローチの組み合わせもまた使用されることができる。
【００２９】
さらに、様々な実施形態は、モバイルデバイスに関連してここに説明される。モバイルデバイスはまた、システム、加入者ユニット、加入者局、モバイル局、モバイル、モバイルデバイス、遠隔局、遠隔端末、アクセス端末、ユーザ端末、端末、ワイヤレス通信デバイス、ユーザエージェント、ユーザデバイス、あるいはユーザ機器（ＵＥ）と呼ばれることができる。モバイルデバイスは、セルラ電話、コードレス電話、セッションイニシエーションプロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、あるいはワイヤレスモデムに接続された他の処理デバイスであってもよい。さらに、様々な実施形態は、基地局と関連して、ここに説明されている。基地局は、モバイルデバイス（単数または複数）と通信するために利用されることができ、また、アクセスポイント、ノードＢ（例、発展型ノードＢ、ｅＮｏｄｅＢ、ｅＮＢ）、あるいは他のある用語で呼ばれることができる。
【００３０】
さらに、ここにおいて説明された様々な態様あるいは特徴は、標準プログラミング及び/または工学技術を使用して、方法、装置、あるいは、製造品(article of manufacture)として、インプリメントされることができる。ここにおいて使用される用語「製造品(article of manufacture)」は、いずれのコンピュータ可読デバイス、キャリア、あるいはメディアからアクセス可能なコンピュータプログラムを含むように意図されている。例えば、コンピュータ可読媒体は、限定されてはいないが、磁気ストレージデバイス(例、ハードディスク、フロッピー(登録商標)ディスク、磁気ストリップ(magnetic strips)…)、光学ディスク(例、コンパクトディスク(ＣＤ)、デジタル汎用ディスク(digital versatile disk)(ＤＶＤ)…)、スマートカード、また、フラッシュメモリデバイス(例、カード、スティック、キードライブ等)を含むことができる。さらに、ここにおいて説明されている様々な保存媒体は、１つまたは複数のデバイス、及び/または、情報を保存するための他の機械可読媒体を表すことができる。用語「機械可読媒体(machine-readable medium)」は、限定されてはいないが、命令(単数または複数)及び/またはデータを保存し、含み、及び/または、搬送することができる、ワイヤレスチャネル及び様々な他のメディアを含むことができる。
【００３１】
図１は、ここにおいて提示される様々な実施形態にしたがってワイヤレス通信システム１００を図示する。システム１００は、マルチプルアンテナグループを含むことができる基地局１０２を含むことができる。例えば、１つのアンテナグループはアンテナ１０４とアンテナ１０６を含むことができ、別のグループはアンテナ１０８とアンテナ１１０を含むことができ、また、追加グループはアンテナ１１２とアンテナ１１４を含むことができる。２つのアンテナが各アンテナグループについて図示されているが、より多くのまたはより少数のアンテナは各グループのために利用されることができる。基地局１０２は、送信機チェインと受信機チェインを追加的に含むことができ、そしてそれらのそれぞれは、代わりに、当業者によって理解されるように、信号送信及び受信に関連づけられた複数のコンポーネント（例、プロセッサ、モジュレータ、マルチプレクサ、デモジュレータ、デマルチプレクサ、アンテナ等）を備えることができる。１つの基地局１０２が図１で図示されているが、開示された主題の事柄は、ネットワークにおいて１以上の基地局、例えばサービング基地局１０２と１以上の近隣基地局１０２を備えることができる。
【００３２】
基地局１０２は、モバイルデバイス１１６及びモバイルデバイス１２２のような１以上のモバイルデバイスと通信することができるが、基地局１０２は、モバイルデバイス１１６とモバイルデバイス１２２と類似した、実質的には任意の数のモバイルデバイスと通信することができる。モバイルデバイス１１６とモバイルデバイス１２２は、例えば、セルラ電話、スマートフォン、ラップトップ、ハンドヘルド通信デバイス、ハンドヘルドコンピューティングデバイス、衛星ラジオ、グローバルポジショニングシステム、ＰＤＡ、及び／または、ワイヤレス通信システム１００上で通信するためのいずれの他の適切なデバイス、であることができる。図示されているように、モバイルデバイス１１６は、アンテナ１１２とアンテナ１１４と通信しており、そこでは、アンテナ１１２とアンテナ１１４は、順方向リンク１１８（例、ダウンリンク（ＤＬ））にわたってモバイルデバイス１１６に対して情報を送信し、逆方向リンク１２０（例、アップリンク（ＵＬ））にわたってモバイルデバイス１１６から情報を受信する。さらに、モバイルデバイス１２２は、アンテナ１０４とアンテナ１０６と通信しており、そこでは、アンテナ１０４とアンテナ１０６は順方向リンク１２４にわたってモバイルデバイス１２２に対して情報を送信し、逆方向リンク１２６にわたってモバイルデバイス１２２から情報を受信する。周波数分割デュプレクス（ＦＤＤ）システムでは、例えば、順方向リンク１１８は、逆方向リンク１２０によって使用されるものとは異なる周波数帯を利用することができ、順方向リンク１２４は、逆方向リンク１２６によって利用されるものとは異なる周波数帯を利用することができる。さらに、時分割デュプレクス（ＴＤＤ）システムでは、順方向リンク１１８と逆方向リンク１２０は、共通の周波数帯を利用することができ、順方向リンク１２４と逆方向リンク１２６は、共通の周波数帯を利用することができる。
【００３３】
各グループのアンテナ及び／またはそれらが通信するように設計されるエリアは、基地局１０２のセクタを指すことができる。例えば、アンテナグループは、基地局１０２によってカバーされるエリアのセクタにおいて、モバイルデバイス（例、１１６）に対して通信するように設計されることができる。順方向リンク１１８と順方向リンク１２４にわたる通信においては、基地局１０２の送信アンテナは、モバイルデバイス１１６とモバイルデバイス１２２のための順方向リンク１１８及び１２４の信号対雑音比を改善するためにビームフォーミングを利用することができる。また、基地局１０２は、関連づけられたサービス範囲を通じてランダムに散在されているモバイルデバイス１１６と１２２に対して送信するためにビームフォーミングを利用するが、近隣セルにおけるモバイルデバイスは、すべてのそのモバイルデバイスに対して単一アンテナを通じて送信する基地局と比べてより少ない干渉の影響をうける可能性がある。
【００３４】
さらに、図１は、リンク（単数または複数）１３０を通じて基地局１０２と通信することができるコアネットワーク１２８を図示しており、また、コアネットワーク１２８はまた他の基地局（図示されず）と通信することができるということは理解されるべきである。コアネットワーク１２８は、ＵＥ１１６またはＵＥ１２２のデータフローのような、パケット化された通信（例、インターネットプロトコルパケットに少なくとも部分的に基づいた通信）を生成する及び／または管理する(administers)（例えば、通信記録、ポリシをスケジュールし、保持する等）実質的にいずれのコンポーネントを一般的に備えることができる。コアネットワーク１２８を構成する、例えばサービングゲートウェイ、ＰＤＮゲートウェイ、及び同様なもののようなコンポーネントは、アプリケーション（単数または複数）及び／またはデータサービス（単数または複数）１３４に対するアクセスを容易にすることができる異なるパケットデータネットワーク（単数または複数）（ＰＤＮ（ｓ））に対するアクセスを提供することができる。コアネットワーク１２８はまた、アプリケーション（単数または複数）及び／またはデータサービス（単数または複数）１３４にアクセスすることができるということは理解されるべきである。
【００３５】
従来、ロングタームエボリューション（ＬＴＥ）／サービスアーキテクチャエボリューション（ＳＡＥ）ネットワークは、リソース割り付け（例、ＱｏＳ）セットアップについてのミックスモードオペレーションを可能にし、そこでは、ＵＥまたはネットワークのいずれかは、アプリケーションについてのリソースをセットアップするためのプロセスを始動することができる。発展型パケットコア（ＥＰＣ）／ポリシ及びチャージング制御（ＰＣＣ）アーキテクチャは、ＵＥ始動のリソース割り付けリクエストとネットワーク(Policy and Charging Rules Function(ＰＣＲＦ))始動のリソース割り付けリクエストとを可能にすることができ、なお、リクエストのいずれのタイプもＵＥとネットワークとの間で専用ベアラセットアップを生じさせることができる。具体的には、ネットワークがアプリケーションのためにリソース割り付けを動的に始動するために、ＰＣＣサポートが必要とされる。しかしながら、ＰＣＣは、ＬＴＥ／ＳＡＥ内のオプションの特徴としてみなされ、ミックスモードオペレーションがアクセスネットワークによってサポートされるにも関らず、あるネットワークはＰＣＣをサポートするかまたはサポートしないかという明瞭な表示(indication)がない。ＵＥとネットワークの両方がリソース割り付けリクエストを始動することができるので、ＵＥとネットワークの両方が単一アプリケーションに関してリソース割り付けリクエストを始動しようとする試みの例がある可能性があり、そしてそれは、ＵＥによって始動されるプロセスがネットワークによって始動されるプロセスと交差するまたは衝突する可能性があるマルチプルの競合状態を結果としてもたらす可能性がある。他の場合では、ネットワークはＰＣＣをサポートしないが、ネットワークにリソース割り付けプロセスを始動することをＵＥは期待することができる。その結果、ＵＥは、あるアプリケーションのために望ましいＱｏＳを受信することができないであろう。現在の標準規格は、ＵＥまたはネットワークがアプリケーションに関してリソース割り付けリクエストを始動するかどうかを決定することと、ミックスモードオペレーションの使用から生じることができるＱｏＳの欠如または競合状態を回避することと、に関してガイダンスを提供しない。ミックスモードオペレーションの使用から生じることができるＱｏＳの欠如または競合状態を回避しながら、リソース割り付けセットアップについてのオペレーションのミックスモードを使用することができることが望ましい。
【００３６】
様々な態様にしたがって、主題のイノベーションは、ネットワーク（ＮＷ）始動のリソース割り付けを利用するときとＵＥ始動のリソース割り付けを利用するときを決定することを容易にすることができるインジケータを利用することができる。主題のイノベーションはまた、別のインジケータを利用することができ、そしてそれは、ＮＷ始動のリソース割り付けがオペレーションの好まれるモードであるかどうかを表示することを容易にするために、生成され、アプリケーション１３４のデバイス（例、ＵＥ）側から、ＱｏＳ管理層とデバイス（例、ＵＥ１１６）内のノン・アクセスス・トラータム(Non-Access Stratum)(ＮＡＳ)層に送信されることができる。主題のイノベーションは、さらに別のインジケータを利用することができ、そしてそれは、現在のネットワーク１２８がＮＷ始動のリソース割り付けについてのＰＣＣをサポートするかどうかを表示することを容易にするために、ネットワーク１２８からＵＥ（例、１１６）に対して送信されることができ、なお、このインジケータは、例えばＰＣＣのような、ネットワーク始動のＱｏＳについての適切なアーキテクチャが利用可能であるかということを暗示することができる。ＵＥ（例、１１６）は、いずれか、ネットワーク１２８がリソース割り付けを始動すること待機するために、または、それ自体がリソース割り付けを始動するために、ネットワーク１２８から受信されるインジケータとアプリケーション１３４のデバイス側からのインジケータとに少なくとも部分的に基づいて、構成されることができる。一実施形態では、ワイヤレス通信システム１００は、アプリケーション１３４がＮＷ始動のリソース割り付けオペレーションを好むということをアプリケーション１３４のデバイス側が表示し、そして、ＮＷ始動のリソース割り付けオペレーションについてのＰＣＣのサポートを現在のネットワーク１２８が表示したときにＮＷ始動のリソース割り付けが使用されることができるように構成されることができる。主題のイノベーションの態様においては、インジケータ（単数または複数）はＱビットワードであることができ、なお、Ｑは、事実上いずれの望ましい整数、または、パケットヘッダフィールドの予め決定される値、等であることができる。
【００３７】
図２を簡単に参照すると、開示された主題の事柄の様々な態様にしたがってＵＥ始動のリソース割り付けリクエストとＮＷ始動のリソース割り付けリクエストを図示する、例示的な呼び出しフロー２００が図示されている。一態様に従って、例示的な呼び出しフロー２００は、ワイヤレス通信システム１００によって利用されることができる。一態様では、例示的な呼び出しフロー２００は、例えば参照番号２０４で図示されているように、ＵＥ（例、１１６）とアプリケーション機能２０２との間で交換されている、アプリケーションレベルシグナリングを含むことができる。アプリケーション機能２０２は、参照番号２０８で図示されているように、ＰＣＲＦ２０６に対して、アプリケーションに関するサービス情報を送信することができる。
【００３８】
一態様では、ＮＷ始動のリソースセットアップにおいて（図２のシーケンスＡで図示されている）、ＰＣＲＦ２０６がアプリケーション機能２０２からサービス情報を受信するとき、ＰＣＲＦ２０６は、受信サービス情報にしたがって認可されたＰＣＣ／ＱｏＳルールを作成することができ、ＰＣＣ／ＱｏＳルールは、サービスデータフローの検出をイネーブルすることと、ポリシ、チャージング、及びＱｏＳ制御のためのパラメータを提供することと、を容易にすることができる情報を備えることができる。ＰＣＲＦ２０６は、パケットデータネットワークゲートウェイ（ＰＧＷ）２１０に対して、認可されたＰＣＣルールを送信することができる（図２の参照番号２１４で図示されている）。ＰＧＷ２１０は、参照番号２１６で図示されているように、認可されたＰＣＣルールが受信されたということを表示するためにＰＣＲＦ２０６に対して肯定応答を送信することができる。同時に、ＳＧＷがベアラバインディング及びイベント報告機能を実行する場合には、参照番号２１８で図示されているように、ＰＣＲＦ２０６は、ＳＧＷ２１２に対してゲートウェイ（ＧＷ）制御とＱｏＳルールを送信することができる。ＱｏＳルールは、サービスデータフローの検出をイネーブルにすることと、ベアラバインディングを実行することと、そして、アップリンクベアラバイディングをベリファイすることと、を容易にすることができるＱｏＳパラメータ及び他の情報を備えることができる。ＳＧＷ２１２とＵＥ１１６は、参照番号２２０で図示されているように受信ＱｏＳルールとＧＷ制御にしたがって、ＵＥ１１６とコアネットワーク１２８との間で専用ベアラをセットアップすることを容易にするために、互いに通信することができる。ＳＧＷ２１２はまた、参照番号２２２で図示されているように、ＧＷ制御とＱｏＳルールが受信されたということに関する情報に肯定応答するために、ＰＣＲＦ２０６に対して肯定応答を送信することができる。
【００３９】
別の態様にしたがって、ＵＥ始動のリソース割り付けでは（図２のシーケンスＢで図示されているように）、ＰＣＲＦ２０６は、参照番号２０８で図示されているように、アプリケーション機能２０２からサービス情報を受信する。ＵＥ１１６は、参照番号２２４によって図示されているように、ネットワーク（例、１２８）に対してリソースリクエスト（例、ベアラリソース割り付けリクエスト）を送信することができ、なお、リソースリクエストは、ＳＧＷ２１２によって受信されることができる。受信リソースリクエストに少なくとも部分的に基づいて、ＳＧＷ２１２は、参照番号２２６で図示されているようにＰＣＲＦ２０６に対してＧＷ制御とＱｏＳルールについてのリクエストを送信することができ、なお、ＰＣＲＦ２０６は、受信リクエストを認可することができる。ＰＣＲＦ２０６は、ＰＧＷ２１０に対して、認可されたＰＣＣルールを送信することができる（図２の参照番号２２８で図示されているように）。ＰＧＷ２１０は、参照番号２３０で図示されているように、認可されたＰＣＣルールが受信されたということを表示するためにＰＣＲＦ２０６に対して肯定応答を送信することができる。同時にまたは実質的に同時に、参照番号２２６で図示されるリクエストに応じて、ＰＣＲＦ２０６は、参照番号２３２で図示されるように、ＳＧＷ２１２に対してＧＷ制御とＱｏＳルールを送信することができる。参照番号２３４に図示されているように受信ＱｏＳルールとＧＷ制御にしたがってＵＥ１１６とコアネットワーク１２８との間で専用ベアラをセットアップすることを容易にするために、ＳＧＷ２１２とＵＥ１１６は互いに通信することができる。
【００４０】
シングルアプリケーションについては、ＵＥ始動のリクエストとＮＷ始動のリクエストの両方が利用可能であることができるため、アプリケーションは、ＵＥ始動のリソース割り付けまたはＮＷ始動のリソース割り付けのいずれかを活用することができる。従来、例えば、ＵＥはただ１つのリソース割り付け方法をサポートすることができる様々なネットワーク上でローミングすることができ、そしてそれは、通信劣化または否定（例えば、競合状態に部分的に起因する）をもたらす可能性がある。さらに、従来、利用可能なＵＥ始動のリクエストプロシージャ（単数または複数）及びＮＷ始動プロシージャ（単数または複数）は逆にインタラクトすることができ、競合状態（例、欠陥のある論理(flawed logic)）は、シングルアプリケーション内でリソース割り付けプロシージャのミックスされた利用から生じることができる。別の例として、従来、ＮＷ始動のプロシージャ（例、参照番号２１４−２２２に関して記載されるプロシージャ）がＵＥ始動のプロシージャ（例、参照番号２２４−２３４に関して記載されるプロシージャ）と並行してまたは同時に開始されるとき、マルチプル競合状態の可能性があった。例えば、ＮＷ始動のプロシージャ、例えばＰＣＣルールプロビジョン、ＰＣＣルールプロビジョン肯定応答、及び／またはＧＷ制御及びＱｏＳルールプロビジョン（例、参照番号２１４、２１６、及び／または２１８）は、ＵＥ始動のプロシージャ、例えばＧＷ制御及びＱｏＳルールリクエスト（例、参照番号２２６）と交差する可能性があり、及び／または、ＮＷ始動プロシージャ、例えば専用ベアラセットアップ（例、参照番号２２０）は、ベアラリソース割り付けリクエスト（例、参照番号２２４）と交差する可能性がある。別の例として、ＵＥ上のアプリケーションは、ＮＷ始動のリソース割り付けを好むようにあらかじめ構成されることができる。ＵＥがＮＷ始動のリソース割り付けについてのＰＣＣが利用可能ではないネットワークに移動する場合には、ＵＥは、通信のために望ましいＱｏＳを受信しない、または、ネットワークがＱｏＳをセットアップしていないということを認識する前に長い間待機する、のいずれかを行う。
【００４１】
図１とシステム１００を再び参照すると、開示された主題の事柄の様々な態様にしたがって、システム１００は、インタラクションを定義することができ、そして、シングルアプリケーションのために、ＵＥ始動のＱｏＳプロシージャ及びＮＷ始動のＱｏＳプロシージャの明瞭な分離を維持することができる。システム１００は、ＮＷ始動のＱｏＳ（例、ＮＷ始動のリソース割り付け）を利用するときとＵＥ始動のＱｏＳを使用するときの明瞭な表示を可能にするために、ＵＥ１１６とネットワーク１２８との間で、そして、ネットワーク１２８内の規定されたコンポーネントまたは層間で、通信されることができる規定されたインジケータを利用することができる。さらに、主題のイノベーションは、アプリケーション、シグナリング層、及び無線層の間でＵＥ１１６内のインタラクションを管理することを容易にすることができる。
【００４２】
主題のイノベーションの態様では、アプリケーションは、少なくとも２つのタイプに分類されることができる。
【００４３】
−タイプ１アプリケーション（単数または複数）は、ＵＥ始動のリソース割り付けを使用のみする。タイプ１アプリケーション（単数または複数）はオペレータ制御されたまたはオペレータ制御されていないネットワークであることができる（例、第３者データサービスプロバイダ）。
【００４４】
−タイプ２アプリケーション（単数または複数）は、好まれる割り付け方法としてＮＷ始動のリソース割り付けを利用することができる。一般的に、タイプ２アプリケーションはオペレータ制御アプリケーションであることができる。さらに、一態様では、そのようなアプリケーション（単数または複数）はまた、訪れたネットワークがＮＷ始動のリソース割り付けについて必要とされる機能をサポートしないとき、例えばローミング目的で、ＵＥ始動のリソース割り付けをサポートする。タイプ２アプリケーション（単数または複数）については、ＵＥとホームＰＣＲＦは、ＮＷ始動のリソース割り付けを利用するための優先度に関する情報で構成されることができる。
【００４５】
主題のイノベーションの別の態様では、シグナリング表示（単数または複数）及びオペレータポリシを利用することができる協調(coordination)が、タイプ２アプリケーション（単数または複数）についてＵＥ１１６とネットワーク１２８との間で提供される。シグナリング表示（単数または複数）は、コアネットワーク１２８内のデータストアにおいて保存されることができ、オペレータポリシは、コアネットワーク１２８内のポリシストアにおいて保存されることができる。さらに、そのような表示（単数または複数）は、ＮＷ始動のＱｏＳとＵＥ始動のＱｏＳの明瞭な分離を可能にすることを容易にすることができる。
【００４６】
図３を参照すると、主題のイノベーションの態様（単数または複数）にしたがって、ＮＷ始動のリソース割り付けとＵＥ始動のリソース割り付けを管理することを容易にすることができる例示的な技術を図示する例示的な呼び出しフロー３００が図示されている。一態様では、システム１００は、ＮＷ始動のリソース割り付け（例、ＱｏＳ）とＵＥ始動のリソース割り付けを管理することを容易にするために、呼び出しフローに関して開示された技術を利用することができる。呼び出しフロー３００と関連づけられ、ワイヤレスネットワーク環境においてコアネットワーク（例１２８）と関連づけられた、または、一部分であることができる、アプリケーション機能３０２、ＰＣＲＦ３０４、ＰＧＷ３０６、及びＳＧＷ３０８、そして、ワイヤレスネットワーク環境において他の通信デバイスと通信することを望むことができるＵＥ（例、１１６）があることができる。
【００４７】
一態様では、ＵＥ１１６とＰＣＲＦ３０４は、参照番号３１０で図示されているように、好まれる割り付け技術としてＮＷ始動のリソース割り付けを利用する、タイプ２アプリケーションについて、構成されるまたはプロビジョンされることができる。ＵＥ１１６がアクセスネットワークに対して接続するとき、ＰＧＷ３０６は、ＵＥ１１６に対して、ネットワーク始動のリソース割り付けについてのＰＣＣがサポートされるということを表示するインジケータを送信することができる。望まれれば、この表示は、アクセスネットワークがミックスモード（ＵＥ始動のリソース割り付けとＮＷ始動のリソース割り付けの両方）オペレーションの機能を有する、または、独立インジケータであることができる、表示と組み合わせられることができる。別の態様では、ＳＧＷ３０８は、参照番号３１４で図示されるように、ＧＷ制御セッションをセットアップすることを容易にするためにＰＣＲＦ３０４と通信することができ、ＳＧＷ３０８は、ＮＷ始動のＱｏＳがサポートされるということを表示することができるインジケータをＰＣＲＦ３０４に対して送信することができる。ＰＣＲＦ３０４とＰＧＷ３０８は、インターネットプロトコル接続アクセスネットワーク（ＩＰ−ＣＡＮ）セッションをセットアップすることを容易にするために互いに通信することができ、情報の交換の一部分として、ＰＧＷ３０６は、参照番号３１６で図示されているように、ＰＣＲＦに対して、ＮＷ始動ＱｏＳについてのＰＣＣがサポートされるということを表示するインジケータを送信することができる。この時点で、参照番号３１８で図示されるように、タイプ２アプリケーションは開始することができる。
【００４８】
別の態様では、タイプ２アプリケーションが開始されるとき、アプリケーションレベルシグナリングは、参照番号３２０で図示されているように、アプリケーション３０２とＵＥ１１６との間で交換されることができる。アプリケーション機能３０２は、参照番号３２２で図示されているように、ＰＣＲＦ３０４に対して、タイプ２アプリケーションが利用されているということを部分的に表示することができるサービス情報を送信することができる。ＰＣＲＦ３０４は、参照番号３２４で図示されているように、タイプ２アプリケーションについて構成されているまたはプロビジョンされているＰＣＲＦ、ＮＷ始動のＱｏＳについてのＰＣＣがサポートされていることを表示するＧＷ制御セッションセットアップからのインジケータ（及び／または、ＮＷ始動のＱｏＳについてのＰＣＣがサポートされていることを表示するＩＰ−ＣＡＮ制御セッションセットアップからのインジケータ）、そして、アプリケーションはタイプ２アプリケーションであるということを表示するサービス情報と、に少なくとも部分的に基づいて、ＮＷ始動のＱｏＳが利用されることを決定することができる。
【００４９】
別の態様では、アプリケーションのＵＥ側は、参照番号３２６で図示されているようにＮＷ始動のＱｏＳが好まれるということをＵＥ１１６内のＱｏＳ管理機能とＮＡＳ層に対して、（例えば、ＮＷ始動の好まれるインジケータを使用して）表示することができる。一実施形態にしたがって、望まれるように、ＵＥ１１６は、アプリケーションプログラミングインタフェース（ＡＰＩ）を利用することができ、なお、ＮＷ始動の好まれるインジケータはＡＰＩ（例、オープンＡＰＩ）を介して顕在化される(exposed)。ＡＰＩを介してＮＷ始動の好まれるインジケータ及び／または他の望ましい情報を顕在化させることは、アプリケーション開発者がＡＰＩを介することなく、または、ＮＷ始動のリソース割り付けがＵＥ始動のリソース割り付けよりも好まれるかどうか、ＱｏＳ管理機能に対し表示することができるアプリケーションを作成することを容易にすることができる。一態様では、ＮＷ始動のＱｏＳについてのＰＣＣがサポートされＰＧＷ３０６から受信されたということを表示するＰＣＣサポートインジケータと、ＮＷ始動のＱｏＳが好まれるということを表示するアプリケーションのＵＥ側からのＮＷ始動の好まれるインジケータと、に少なくとも部分的に基づいて、ＮＷ始動のＱｏＳが利用されることをＵＥ１１６は決定することができ、そして、ＵＥ１１６は、参照番号２３８で図示されているようにＱｏＳを始動するためにネットワークを待機することができる。ＰＣＲＦ３０４は、ＰＧＷ３０６（あるいは代替的にはＳＧＷ３０８）に対して望ましいＰＣＣルールを送信することができる（参照番号３３０で図示されているように）。ＰＧＷ３０６（あるいは代替的にはＳＧＷ３０８）は、参照番号３３２で図示されているように、望ましいＰＣＣルールが受信されたということを表示するために、ＰＣＲＦに対して肯定応答を送信することができる。肯定応答に応じて、ＰＣＲＦ３０４は、参照番号３３４で図示されているように、ＳＧＷ３０８に対してＧＷ制御とＱｏＳルールを送信することができる。ＳＧＷ３０８とＵＥ１１６は、参照番号３３６で図示されているように、受信ＱｏＳルールとＧＷ制御にしたがって、ＵＥ１１６とコアネットワーク１２８との間で専用ベアラをセットアップすることを容易にするために互いに通信することができる。ＳＧＷ３０８はまた、参照番号３３８で図示されているように、ＧＷ制御とＱｏＳルールに関する情報が受信されたということを肯定応答するために、ＰＣＲＦ３０４に対して肯定応答を送信することができる。
【００５０】
別の態様では、ＵＥ１１６がＰＧＷ３０６からインジケータを受信しない場合には、ＮＷ始動のリソース割り付けについてのＰＣＣがサポートされる、ということは理解され認識される。３２６で図示されているように、ＵＥ１１６が、タイプ２アプリケーションのオペレーションの好まれるモードはＮＷ始動のリソース割り付けであるということをアプリケーションから表示を受信する場合でさえ、ＵＥは、ＵＥ始動のリソース割り付けが使用されることを決定することができ、そして、ＵＥ始動のリソース割り付けを実行するために、図２の呼び出しフロー２００において、シーケンスＢ（参照番号２２４−２３４）で記載されるようなプロシージャに従うことができる。
【００５１】
別の態様では、ＵＥ１１６が、ＮＷ始動のリソース割り付けがオペレーションの好まれるモードであるということを表示するアプリケーションからインジケータを受信しない（あるいはアプリケーションがタイプ１アプリケーションであるということまたはＮＷ始動のリソース割り付けがオペレーションの好まれるモードではないということを表示するインジケータを受信する)、または、ネットワークがＮＷ始動のリソース割り付けについてのＰＣＣをサポートするということを表示するインジケータをコアネットワークから受信しない（あるいは、ネットワークはＮＥ始動のリソース割り付けについてのＰＣＣをサポートしないということを表示するインジケータをコアネットワーク１２８から受信する）場合には、ＵＥ１１６は、リソース割り付けについてのリクエストをＵＥが始動することを決定することができ、ＵＥ１１６は、例えば図２の呼び出しフロー２００の例えばシーケンスＢ（参照番号２２４-２３４）において記載されているプロシージャにしたがって、ＵＥ１１６とコアネットワーク１２８との間で望ましい専用ベアラを確立することを容易にするために、コアネットワーク１２８において、リクエストを生成し、ＳＧＷ３０８に対して送信することができる。
【００５２】
アプリケーションに関してＮＷ始動のリソース割り付けとＵＥ始動のリソース割り付けが利用されるときを制御することによって、主題のイノベーションは、望ましくない競合状態を、排除すること、または少なくとも低減させることを容易にすることができ、そうでない場合には、ＮＷ始動のリソース割り付けとＵＥ始動のリソース割り付けが同時に利用される場合に生じうる。主題のイノベーションはまた、例えば、たとえＮＷ始動のリソース割り付けが好まれるモードでも、例えばＮＷ始動のリソース割り付けについてのＰＣＣがネットワークによってサポートされない場合において、ワイヤレス通信環境において通信したいと望むモバイルデバイスについてのＱｏＳを効率的に確立することを容易にすることができる。
【００５３】
図４を参照すると、ここにおいて提示される様々な実施形態にしたがって、NW始動のリソース割り付けとＵＥ−始動のリソース割り付けの管理を容易にすることができるワイヤレス通信システム４００が図示されている。システム４００は、基地局１０２に対して接続されることができる（例、ワイヤレス接続される）、モバイル通信デバイスであることができるＵＥ１１６を含むことができる。基地局１０２は、ワイヤレス通信環境において、コアネットワーク１２８に接続されることができる。基地局１０２、ＵＥ１１６、そしてコアネットワーク１２８はそれぞれ、例えばシステム１００、呼び出しフロー２００、及び呼び出しフロー３００に関して、例えばここにより十分に記載されているそれぞれのコンポーネントと同じまたは同様であることができ、または、同じまたは同様な機能を備えることができる、ということは認識され理解されるべきである。
【００５４】
一態様にしたがって、ＵＥ１１６は、基地局１０２及び／またはワイヤレス通信環境における別の通信デバイス（例、モバイル電話、コンピュータ）（図示されず）に対して、データを送信すること、及び／または、そこからデータを受信することを容易にするために利用されることができるコミュニケータコンポーネント４０２を含むことができる。例えば、コミュニケータコンポーネント４０２は、ＵＥ１１６と基地局１０２との間で制御情報及び／またはデータの通信を容易にすることができる。別の態様では、ＵＥ１１６は、ＵＥがＵＥ１１６についてのリソース割り付け（例、ＱｏＳ）を始動するかどうか、または、コアネットワーク１２８がＵＥ１１６についてのリソース割り付けを始動するかどうか、を表示することができる、及び／または、ネットワークがＮＷ始動のリソース割り付けについてのＰＣＣをサポートすることができるかどうかを表示することができる、インジケータ（単数または複数）及び／または他の情報を受信することができる受信機コンポーネント４０４を備えることができる。
【００５５】
ＵＥ１１６はまた、ＵＥがＵＥ１１６についてのリソース割り付けを始動するかどうか、または、コアネットワーク１２８がＵＥ１１６についてのリソース割り付けをするかどうか、を決定することを容易にするために、ＰＣＣサポートインジケータ、ＮＷ始動のサポートインジケータ及び／またはＮＷ始動の好まれるインジケータのような、情報を評価することができる評価器コンポーネント４０６を含むことができる。別の態様では、ＵＥ１１６は、ＵＥ１１６は、情報の評価に少なくとも部分的に基づいて、ＵＥがＵＥ１１６についてのリソース割り付けをするかどうか、またはコアネットワーク１２８がＵＥ１１６についてのリソース割り付けをするかどうか、を決定することができるイニシエータ管理コンポーネント４０８を含むことができ、情報は、例えばＰＣＣサポートインジケータ、ＮＷ始動のサポートインジケータ、ＵＥ１１６で利用されているアプリケーションのタイプ（例、タイプ１アプリケーション、タイプ２アプリケーション）を表示している情報、及び／またはＮＷ始動の好まれるインジケータ（例、アプリケーションのＵＥ側によって生成されることができ、ＵＥ１１６と関連づけられたコンポーネントに対して提供される）、のような受信情報を含んでいる。イニシエータ管理コンポーネント４０８は、受信インジケータ（単数または複数）または他の情報に少なくとも部分的に基づいて、ＵＥ１１６に、ＵＥ１１６についてのリソース割り付けを始動させる、または、リソース割り付けを始動させない、ようにＵＥ１１６を制御することができる。
【００５６】
さらに別の態様では、ＵＥ１１６はまた、例えばＵＥ始動のリソース割り付けが望まれるときにＵＥ１１６についてのリソース割り付けを始動するために、及び／または、ＱｏＳルールにしたがってＵＥ１１６についてのＱｏＳを確立するために、ＵＥ１１６、例えばそこの中にあるコンポーネントを構成することを容易にすることができるコンフィギュレータコンポーネント４１０を含むことができる。ＵＥ１１６は、ＵＥ始動のリソース割り付けが望まれるときにリソース割り付けについてのリクエストを生成することができるリクエストコンポーネント４１２をさらに含むことができ、なお、リソース割り付けについてのリクエストは、コミュニケータコンポーネント４０２によって基地局１０２を介してコアネットワーク１２８に対して通信されることができる。
【００５７】
別の態様では、ＵＥ１１６は、ＵＥ１１６のオペレーションを容易にすることができる情報及び／またはコードを保存することができるデータストア４１４を備えることができ、なお、情報及び／またはコードは、例えば、ＵＥ１１６が他の通信デバイスと通信することをイネーブルすることを容易にすることができる情報及び／またはコード、データ（例、インジケータ（単数または複数））を評価することを容易にすることができる情報及び／またはコード、リソース割り付けについてのリクエストが生成され送信されるべきであるかどうかを制御することを容易にすることができる情報及び／またはコード、望まれれば動作するようにＵＥ１１６を構成することを容易にすることができる情報及び／またはコード、等を備えることができる。
【００５８】
一態様に従って、ここにおいて記載されるデータストア４１４は、揮発性メモリ及び／または不揮発性のメモリを備えることができる。例として、しかし限定されないが、不揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、フラッシュメモリ、及び／または，不揮発性ランダムアクセスメモリ（ＮＶＲＡＭ）を含むことが出来る。揮発性メモリは、外部キャッシュメモリとして作用するランダムアクセスメモリ（ＲＡＭ）を含むことが出来る。例として、しかし限定されないが、ＲＡＭは、シンクロナスＲＡＭ（ＳＲＡＭ）、動的ＲＡＭ（ＤＲＡＭ）、シンクロナスＤＲＡＭ（ＳＤＲＡＭ）、ダブルデータレートＳＤＲＡＭ（ＤＤＲＳＤＲＡＭ）、拡張ＳＤＲＡＭ（ＥＳＤＲＡＭ）、シンクリンクＤＲＡＭ（ＳＬＤＲＡＭ）、及びダイレクトラムバスＲＡＭ（ＤＲＲＡＭ）、のような多くの形態で利用可能である。データストア４１４は、制限されることなく、これら及び他の適切なタイプのメモリを備えるように意図される。
【００５９】
一実施形態にしたがって、ＵＥ１１６は、ＮＷ始動の好まれるインジケータのような、ある情報へのアクセスまたはプロビジョンを容易にするために使用されることができるＡＰＩ４１６をオプションで含むことができる。アプリケーション開発者のようなエンティティは、ＮＷ始動のリソース割り付けが好まれるが好まれないかどうかを表示するためにＡＰＩ４１６を使用することによってアプリケーションを開発することができる。
【００６０】
図５に戻ると、ここにおいて提示される様々な実施形態にしたがって、ＮＷ始動のリソース割り付けとＵＥ始動のリソース割り付けの管理を容易にすることができる別のワイヤレス通信システム５００が図示されている。一態様では、システム５００は、基地局１０２に対して接続されることができる（例、ワイヤレスで接続される）モバイル通信デバイスであることができるＵＥ１１６を備えることができる。基地局１０２は、ワイヤレス通信環境におけるコアネットワーク１２８に接続されることができる。基地局１０２、ＵＥ１１６、及びコアネットワーク１２８はそれぞれ、例えばシステム１００、呼び出しフロー２００、呼び出しフロー３００、及びシステム４００に関して、ここにおいてより十分に説明されているような、それぞれのコンポーネントと同じまたは同様であることができ、または、同じまたは同様な機能を備えることができるということは認識され理解されるべきである。
【００６１】
一態様では、コアネットワーク１２８は、コアネットワーク１２８におけるノードであることができ、コアネットワーク１２８とＵＥ１１６との間で情報を通信することまたはルーティングすることを容易にすることができる、ＰＧＷ３０６を含むことができる。ＰＧＷ３０６は、ネットワークがＮＷ始動のリソース割り付けについてのＰＣＣをサポートするかどうかをＵＥ１１６に対して表示することを容易にするために、ＵＥ１１６に対してＰＣＣサポートインジケータ及び／またはＮＷ始動のサポートインジケータのようなインジケータ（単数または複数）を通信することができるインジケータコンポーネント５０２を備えることができる。コアネットワーク１２８はまた、コアネットワーク１２８とＵＥ１１６との間で情報を通信することまたはルーティングすることを容易にすることができるＳＧＷ３０８を含むことができる。ＳＧＷ３０８は、ＮＷ始動のリソース割り付けがサポートされる及び／または好まれるかどうかに関してＵＥに対して情報を通信することを容易にするために、コアネットワーク１２８における他のコンポーネントまたはコアネットワークの外のコンポーネントから、例えばＰＣＣサポートインジケータ及び／またはＮＷ始動サポートインジケータのようなインジケータ（単数または複数）を受信する、または、それに対して提供することができる、インジケータコンポーネント５０４を備えることができる。
【００６２】
別の態様では、コアネットワーク１２８は、ＵＥ１１６のようなモバイル通信デバイスのためのＱｏＳを確立することを容易にすることができるＰＣＲＦ３０４を含むことができる。ＰＣＲＦ３０４は、ＵＥ１１６とコアネットワーク１２８との間でベアラをセットアップすることを容易にするために、コアネットワーク１２８において、ＱｏＳルールとＰＣＣルールを生成し、ＰＧＷ３０６のような他のコンポーネントに対して送信することができる。ＰＣＲＦ３０４は、ＵＥ始動のリソース割り付けまたはＮＷ始動のリソース割り付けが利用されるかどうかを決定することを容易にするために、アプリケーション機能３０２からＵＥ１１６で利用されているアプリケーションのタイプを規定するインジケータのようなインジケータ（単数または複数）を受信することができるインジケータコンポーネント５０６を含むことができる。ＰＣＲＦ３０４はまた、アプリケーション機能３０２がタイプ２アプリケーションまたはタイプ１アプリケーションを利用しているかどうかに部分的に起因してタイプ２アプリケーションまたはタイプ１アプリケーションにしたがって機能するようにＰＣＲＦ３０４を構成することを容易にすることができるコンフィギュレータコンポーネント５０８を含むことができる。コンフィギュレータコンポーネント５０８はまた、ＵＥ１１６で利用されているアプリケーションのタイプと、現在のネットワークがＮＷ始動のリソース割り付けをサポートするかどうか、に少なくとも部分的に基づいてＵＥがリソース割り付けをリクエストすること（例、ＵＥ始動リクエスト）を可能にするために、または、ＮＷ始動のリソース割り付けを利用するために、ＰＣＲＦ３０４を構成することを容易にすることができる。
【００６３】
ＰＣＲＦ３０４はまた、例えばサービス情報のようなデータを評価することができる評価器コンポーネント５１０を利用することができ、データは、ＵＥ１１６で使用されることが望まれるアプリケーションのタイプを表示することができ、ＮＷ始動のリソース割り付けを利用するかどうかを決定することを容易にするために、ＮＷ始動のリソース割り付けが好まれるかどうか、及び／または、ＮＷ始動のリソース割り付けについてのＰＣＣを現在のネットワーク（例、１２８）がサポートすることができるかどうかを表示する。ＰＣＲＦ３０４はまた、評価器コンポーネント５１０による評価に部分的に基づいて、コアネットワーク１２８がリソース割り付けをするかどうか、または、ＵＥがリソース割り付けをするかどうか、を制御することを容易にすることができるイニシエータ管理コンポーネント５１２を利用することができる。
【００６４】
さらに別の態様では、コアネットワーク１２８は、アプリケーション機能エンティティであることができるアプリケーション機能３０２を含むことができ、そして、ポリシ確立及びチャージング制御を容易にするために、サービス情報のような情報をＰＣＲＦ３０４に提供することができる。サービス情報は、ＰＣＲＦ３０４に対して、例えば、アプリケーション機能３０２がタイプ２アプリケーションまたはタイプ１アプリケーションを利用するかどうかを表示することができる。
【００６５】
さらに別の態様では、コアネットワーク１２８は、コアネットワーク１２８においてデータを処理することとデータフローを制御することとを容易にすることができる１以上のプロセッサを備えることができるプロセッサコンポーネントを備えることができる。プロセッサコンポーネント５１４はコアネットワーク１２８における別個のコンポーネントとして図示されているが、主題のイノベーションはそれほど限定されてはおらず、プロセッサコンポーネント１２８の１以上のプロセッサは、望まれれば、コアネットワーク１２８において別のコンポーネント（単数または複数）（例、ＰＧＷ３０６、ＳＧＷ３０８等）内に含まれることができる。
【００６６】
一態様によると、コアネットワーク１２８は、データを保存しコアネットワーク１２８と関連づけられた他のコンポーネントに対して提供することができるデータストア５１６を含むことができる。データストア５１４は、ＵＥ（例、１１６）との通信を確立することと、通信デバイス、インジケータ（単数または複数）（例、ＰＣＣサポートインジケータ、ＮＷ始動のサポートインジケータ）間のボイスまたはデータ通信を制御することと、ＮＷ始動のリソース割り付けまたはＵＥ始動のリソース割り付けがＵＥ１１６に関して利用されるかどうかを決定することと、インジケータ（単数または複数）または他の情報を評価することと、等に関するデータを含むことができる。コアネットワーク１２８はまた、オペレータポリシに関するデータを保存し提供することができるポリシストア５１８を含むことができる。
【００６７】
別の態様では、ここにおいて説明されているデータストア５１６及びポリシストア５１８は、揮発性メモリ及び／または不揮発性メモリを備えることができる。例として、しかし限定されないが、不揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、フラッシュメモリ、および／または、不揮発性ランダムアクセスメモリ（ＮＶＲＡＭ）を含むことが出来る。揮発性メモリは、外部キャッシュメモリとして作用するランダムアクセスメモリ（ＲＡＭ）を含むことが出来る。例として、しかし限定されないが、ＲＡＭは、シンクロナスＲＡＭ（ＳＲＡＭ）、動的ＲＡＭ（ＤＲＡＭ）、シンクロナスＤＲＡＭ（ＳＤＲＡＭ）、ダブルデータレートＳＤＲＡＭ（ＤＤＲＳＤＲＡＭ）、拡張ＳＤＲＡＭ（ＥＳＤＲＡＭ）、シンクリンクＤＲＡＭ（ＳＬＤＲＡＭ）、及びダイレクトラムバスＲＡＭ（ＤＲＲＡＭ）、のような多くの形態で利用可能である。データストア５１６とポリシストア５１８は、制限されることなく、これら及び他の適切なタイプのメモリを備えるように意図される。
【００６８】
図６−９を参照すると、ワイヤレス通信環境において、ＮＷ始動のリソース割り付けとＵＥ始動のリソース割り付けを効率的に管理することに関する方法が図示されている。説明を簡略するために、方法は一連の動作として示され、そして説明されているが、特許請求された主題の事柄が動作の数あるいは順序によって制限されていないということが認識され、理解されるべきであり、いくつかの動作は、１以上の実施形態において、ここにおいて図示され説明されたものからの他の動作と、異なる順序で及び／または同時に生じることができる。例えば、当業者は、方法は、状態図におけるような、一連の相互関連づけられた状態あるいはイベントとして代替的に表されることができるであろうということを理解し、認識するであろう。さらに、必ずしもすべての図示される動作は、１以上の実施形態にしたがって方法をインプリメントすることを必要とされなくてもよい。
【００６９】
図６を参照すると、開示された主題の事柄の態様にしたがってワイヤレス通信環境におけるＵＥと関連づけられた通信を容易にするために、ワイヤレス通信環境におけるＮＷ始動のリソース割り付けとＵＥ始動のリソース割り付けを管理することを容易にすることができる例示的な方法６００が図示されている。６０２で、少なくとも１つのインジケータは受信されることができ、少なくとも１つのインジケータは、ＮＷ始動のリソース割り付けがオペレーションの好まれるモードであるかどうかを表示することができる、及び／または、ネットワークがＮＷ始動のリソース割り付けについてのＰＣＣをサポートするかどうかを表示することができる。一態様では、モバイルデバイス（例、１１６）は、ワイヤレス通信環境において、例えば他の通信装置と、通信することを望むことができる。ワイヤレス通信環境において通信することを容易にするために、モバイルデバイス１１６は、モバイルデバイス１１６とコアネットワーク１２８との間で専用ベアラをセットアップすることを容易にするために、基地局１０２を介してコアネットワーク１２８と通信することができる。一態様では、モバイルデバイス１１６は、モバイルデバイス１１６がリソース割り付けを開始するかどうか、または、コアネットワーク１２８はモバイルデバイス１１６についてのリソース割り付けを始動するかどうかを決定することを望むことができる。望ましい数のインジケータが利用され、モバイルデバイス１１６に対して通信されることができ、モバイルデバイスは、モバイルデバイス１１６によって受信されるインジケータ（単数または複数）に少なくとも部分的に基づいて、モバイルデバイス１１６がリソース割り付けを始動するかどうか、または、ネットワーク１２８がモバイルデバイス１１６についてのリソース割り付けを始動するかどうか、を決定することを容易にすることができる。別の態様では、コアネットワーク１２８のコンポーネント（例、ＰＣＲＦ３０４）は、ＮＷ始動のリソース割り付けまたはＵＥ始動のリソース割り付けを利用するかどうかを決定することを容易にするために、ＮＷ始動のリソース割り付けについてのＰＣＣがサポートされるかどうかを表示することができるインジケータ（単数または複数）を利用することができ、なお、そのインジケータ（単数または複数）はＵＥ１１６に対して提供されることができる；及び／または、アプリケーションのＵＥ側は、例えばＮＷ始動のリソース割り付けが好まれるかどうかを表示することができるＮＷ始動の好まれるインジケータのようなインジケータを利用することができ、そして、ＮＷ始動の好まれるインジケータはモバイルデバイス１１６の他のコンポーネントに対して提供されることができる。
【００７０】
モバイルデバイス１１６を再び参照すると、例えば、モバイルデバイス１１６は、利用されているアプリケーションのＵＥ側から、ＮＷ始動のリソース割り付け（例、ＮＷ始動のＱｏＳ）が好まれるということを表示するインジケータを受信することができる。例えば、タイプ２アプリケーションが利用されるときには、ＮＷ始動のリソース割り付けが好まれることができる。別の例として、モバイルデバイス１１６は、コアネットワーク１２８におけるＰＧＷ（例、３０６）から、現在のネットワークは、ＮＷ始動のリソース割り付けをサポートすることができＰＣＣがサポートされるということを表示することができるインジケータ（例、ＰＣＣサポートインジケータ）を受信することができる。
【００７１】
６０４で、専用ベアラは、少なくとも１つのインジケータに部分的に基づいて、モバイルデバイスまたはコアネットワークのうちの少なくとも１つによって始動されるリソース割り付けに少なくとも部分的に基づいて、モバイルデバイスについてセットアップされることができる。一態様では、専用ベアラはモバイルデバイス１１６とコアネットワークとの間でセットアップされることができ、なお、リソース割り付けは、受信インジケータ（単数または複数）に部分的に起因して、モバイルデバイス１１６またはコアネットワーク１２８によって始動されることができる。モバイルデバイス１１６がＮＷ始動のリソース割り付けがアプリケーションのＵＥ側から好まれるということを表示するインジケータと、と現在のネットワークがＮＷ始動のリソース割り付けをサポートしＰＣＣがサポートされるということを表示するインジケータと、を受信する場合には、モバイルデバイス１１６は、コアネットワーク１２８がモバイルデバイスのためにリソース割り付けを始動することを決定することができ、モバイルデバイス１１６は、待機し、ネットワークがリソース割り付けを始動することを可能にすることができる。コアネットワーク１２８によって始動されるリソース割り付けリクエストに少なくとも部分的に基づいて、コアネットワーク１２８は、モバイルデバイス１１６に対してリソース割り付けに関する情報を送信することを容易にすることができ、モバイルデバイス１１６は、モバイルデバイス１１６とコアネットワーク１２８との間で専用ベアラをセットアップすることを容易にするために、受信情報を利用することができる。
【００７２】
モバイルデバイス１１６が、ＮＷ始動のリソース割り付けがオペレーションの好まれるモードであるということを表示するインジケータを受信しない(あるいは、ＮＷ始動のリソース割り付けがオペレーションの好まれるモードでないということを表示するインジケータを受信する)、または、現在のネットワークがＮＷ始動のリソース割り付けをサポートするということを表示するインジケータを受信しない(あるいは、現在のネットワークがＮＷ始動のリソース割り付けをサポートしないということを表示するインジケータを受信する)、または、現在のネットワークがＰＣＣをサポートするということを表示するインジケータを受信しない（あるいは、現在のネットワークはＰＣＣをサポートしないというインジケータを受信する）場合、モバイルデバイス１１６は、モバイルデバイス１１６がモバイルデバイス１１６についてのリソース割り付けを始動するということを決定することができ、そして、モバイルデバイス１１６は、コアネットワーク１２８に対してリソース割り付けリクエストを送信することができる。モバイルデバイス１１６によって始動されるリソース割り付けリクエストに少なくとも部分的に基づいて、コアネットワーク１２８は、モバイルデバイス１１６に対してリソース割り付けに関する情報を送信することを容易にすることができ、モバイルデバイス１１６は、モバイルデバイス１１６とコアネットワーク１２８との間で専用ベアラをセットアップすることを容易にするために、受信情報を利用することができる。
【００７３】
図７は、開示された主題の事柄の態様にしたがってワイヤレス通信環境においてＵＥと関連づけられる通信を容易にするために、ワイヤレス通信環境においてＮＷ始動のリソース割り付けとＵＥ始動のリソース割り付けを管理すること容易にすることができる別の例示的な方法７００を図示する。７０２で、ＵＥは、アクセスネットワークに対して接続されることができる。一態様では、ＵＥ（例、１１６）は、コアネットワーク１２８と関連づけられることができる、アクセスネットワークと関連づけられたワイヤレスネットワーク環境において通信することを望むことができる。コアネットワーク１２８は、ＵＥ１１６が例えばワイヤレス環境と関連づけられた他の通信デバイスと通信することをイネーブルにすることを容易にするために、基地局１０２を介してアクセスネットワークに対してＵＥ１１６を接続することを容易にすることができる。
【００７４】
７０４で、ＮＷ始動のリソース割り付けについてのＰＣＣ（例、ＮＷ始動のＱｏＳ）がネットワークによってサポートされるということを表示することができるインジケータ（ＰＣＣインジケータ）がＵＥに対して提供されることができる（例、送信される）。一態様では、コアネットワーク１２８におけるＰＧＷ（例３０６）は、ＵＥ１１６に対して、ＰＣＣサポートインジケータのようなインジケータを送信することができ、インジケータは、ＮＷ始動のリソース割り付けについてのＰＣＣは現在のネットワークによってサポートされるということをＵＥ１１６に対して表示することができる。例えば、ネットワークと関連づけられたＰＣＲＦ３０４がタイプ２アプリケーションについて構成される又はプロビジョンされるときに、ＮＷ始動のリソース割り付けはネットワークによってサポートされることができる。
【００７５】
７０６で、タイプ２アプリケーションが利用されるという表示に少なくとも部分的に基づいて、ＮＷ始動のリソース割り付けが利用されるという決定が行われることができる。一態様では、アプリケーション機能（例３０２）は、ＰＣＲＦ（例３０４）に対してサービス情報を提供することができ、なお、サービス情報は、タイプ２アプリケーションはＵＥ１１６で利用されるということを表示することができる。タイプ２アプリケーションが利用されるとき、ある例を除いて、例えばＵＥがローミングし、訪れたネットワークがＰＣＣをサポートしないときのある例において、ＮＷ始動のリソース割り付けを利用することが望ましい。
【００７６】
別の態様では、ＵＥ１１６とコアネットワーク１２８が、それらのうちのどれがリソース割り付けを始動するかについて、互いにあわせる(in accord with)ということを確実にすることを容易にするために、ＵＥ１１６はアプリケーションのＵＥ側からＮＷ始動の好まれるインジケータを受信することができ、なおインジケータは、ＵＥ始動のリソース割り付けとは対照的に、ＮＷ始動のリソース割り付けはコアネットワークによるオペレーションの好まれるモードであるということをＵＥ１１６に対して表示するために規定された値に設定されることができる。ＵＥ１１６は、このアプリケーションに関してＮＷ始動のリソース割り付けが利用されるということを決定することができ、ＵＥ１１６は、リソース割り付けを始動しＵＥ１１６と通信するために、ネットワーク１２８を待機することができる。
【００７７】
７０８で、ＵＥのためのリソース割り付けは、始動されることができる（例、コアネットワークによって）。一態様では、コアネットワーク１２８は、ＵＥ１１６とコアネットワーク１２８の間で専用ベアラをセットアップすることを容易にするために、ＵＥ１１６のためのリソース割り付けを始動することができる。専用ベアラをセットアップすることを容易にするために、ＰＣＲＦ３０４は、ＰＣＲＦ３０４に対しＰＣＣルール肯定応答を提供することができるＰＧＷ３０６に対して、ＰＣＣルールを通信することができ、そして、ＰＣＲＦ３０４は、ＰＣＲＦ３０４に対してＧＷ制御及びＱｏＳルール肯定応答を提供することができるＳＧＷ３０８に対して、ＧＷ制御とＱｏＳルールを提供することができる。
【００７８】
７１０で、ＵＥとコアネットワークとの間で専用ベアラをセットアップすることを容易にするためにリソース割り付けに関する情報がＵＥに対して送信されることができる。一態様では、ＳＧＷ３０８は、ＵＥ１１６に対してリソース割り付け情報を送信するために、ＵＥ１１６と通信することができる。７１２で、専用ベアラは、リソース割り付け情報に少なくとも一部分基づいて、ＵＥとコアネットワークの間でセットアップされることができる。一態様では、受信リソース割り付け情報は、ワイヤレス通信環境におけるＵＥ１１６による望ましい通信を容易にするために、ＵＥ１１６とコアネットワーク１２８との間で専用ベアラを確立することを容易にするために利用されることができる。
【００７９】
図８は、開示された主題の事柄の態様にしたがって、ワイヤレス通信環境においてＵＥと関連づけられた通信を容易にするために、ワイヤレス通信環境におけるＮＷ始動のリソース割り付けとＵＥ始動のリソース割り付けを管理することを容易にすることができる別の例示的な方法８００を図示する。８０２で、ＵＥはアクセスネットワークと接続されることができる。一態様では、ＵＥ（例１１６）は、ワイヤレス通信環境において通信することを望むことができ、また、ＵＥ１１６は、ワイヤレス通信環境において他の通信デバイスと通信することを容易にするためにコアネットワーク１２８と関連づけられたアクセスネットワークと、基地局１０２を介して、接続することができる。
【００８０】
８０４で、ＮＷ始動のリソース割り付けが現在のネットワークによってサポートされるかどうかに関して決定が行なわれることができる。一態様では、ＵＥ１１６は、インジケータ（例、ＰＣＣサポートインジケータ）を受信することができ、そしてそれは、ＮＷ始動のリソース割り付けが現在のネットワークによってサポートされるかどうかを表示することができる。ＵＥ１１６は、ＮＷ始動のリソース割り付けが、受信インジケータ（単数または複数）（例、ＮＷ始動サポートインジケータ、ＰＣＣサポートインジケータ）に少なくとも部分的に基づいてネットワークによってサポートされるかどうかを決定することができる。ＮＷ始動のリソース割り付けが現在のネットワークによってサポートされないということが決定される場合には、８０６で、リソース割り付けについてのリクエストが生成されることができる。一態様では、受信インジケータ（例、ＰＣＣサポートインジケータ）がＮＷ始動のリソース割り付けが現在のネットワークによってサポートされない（あるいは、代替的には、ＰＣＣサポートインジケータがＵＥ１１６によって受信されない場合、なお、そのようなインジケータは、現在のネットワークがＮＷ始動のリソース割り付けについてのＰＣＣをサポートするということを表示するために設定されることができる）ということを表示する場合には、ＵＥ１１６は、ＮＷ始動のリソース割り付けは利用されることができないということを決定することができ、そしてその結果、ＵＥ始動のリソース割り付けが利用されることができる。ＵＥ１１６は、リソース割り付けを始動するように構成されることができ、ＵＥ１１６は、部分的に、リソース割り付けについてのリクエストを生成することによって、リソース割り付けを始動することができる。
【００８１】
８０８で、リソース割り付けについてのリクエストはコアネットワークに対して送信されることができる。一態様では、ＵＥ１１６は、ＵＥ始動のリソース割り付けの一部としてコアネットワーク１２８に対して、リソース割り付けについてのリクエストを送信することができる。８１０で、リソース割り付けに関する情報は受信されることができる。一態様では、ＵＥ１１６は、ＵＥ１１６とコアネットワーク１２８との間で専用ベアラをセットアップすることを容易にするために、コアネットワーク１２８からリソース割り付け（例、ＱｏＳ）に関する情報を受信することができる。８１２で、専用ベアラは、ＵＥとコアネットワークの間でセットアップされることができる。一態様では、受信リソース割り付け情報及び／または他の情報は、ワイヤレス通信環境においてＵＥ１１６による望ましい通信を容易にするためにＵＥ１１６とコアネットワーク１２８との間で専用ベアラを確立することを容易にするために利用されることができる。
【００８２】
参照番号８０４を再び参照すると、ＮＷ始動のリソース割り付けが現在のネットワークによってサポートされるということが決定される（したがってＰＣＣがサポートされる）場合には、方法８００は、参照番号８１４へ進むことができ、８１４で、ＮＷ始動のリソース割り付けがオペレーションの好まれるモードであるかどうかに関しての決定が行われることができる。８１４で、ＮＷ始動のリソース割り付けがオペレーションの好まれるモードでないということが決定される場合には、方法８００は参照番号８０６に進むことができ、そこでは、ＵＥ始動のリソース割り付けが利用されることができ、方法８００はその地点から進むことができる。一態様では、ＵＥ１１６は、ＮＷ始動のリソース割り付けがオペレーションの好まれるモードであるかどうかを表示するために、望ましい値に設定されることができるアプリケーションのＵＥ側から、例えばＮＷ始動の好まれるインジケータのようなインジケータを受信することができる。ＮＷ始動のリソース割り付けは、例えばタイプ２アプリケーションがＵＥ１１６で利用されるとき、ある例を除いて、例えばＵＥ１１６がローミングしており、訪れたネットワークがＰＣＣをサポートしないときの例において、オペレーションの好まれるモードであることができ、なお、ＵＥ始動のリソース割り付けを利用することが望ましい可能性がある。タイプ１アプリケーションが利用される、または、そうでなければＵＥ始動のリソース割り付けが利用されることが望ましい（例、ＵＥ１１６がローミングするとき）場合には、アプリケーションのＵＥ側は、ＮＷ始動のリソース割り付けが好まれていないということをＵＥ１１６に通知するためにＵＥに対して異なる値を有するインジケータを送信することができる（あるいは代替的には、アプリケーションのＵＥ側はオペレーションの好まれるモードに関してインジケータなしを提供することができる、なお、そのようなインジケータが受信されないときには、ＮＷ始動のリソース割り付けは好まれないということを、ＵＥ１１６は決定することができる）。
【００８３】
８１４で受信インジケータ情報（例、ＮＷ始動の好まれるインジケータ）に少なくとも部分的に基づいてＮＷ始動のリソース割り付けがオペレーションの好まれるモードであるということが決定される場合には、８１６で、ＵＥがローミングしているかどうかについての決定が行われることができる。ＵＥがローミングしているということが決定される場合には、方法８００は、参照番号８０６に進めることができ、ＵＥ始動のリソース割り付けは利用されることができ、そして方法８００はその地点から進めることができる。一態様では、ＵＥ１１６がＵＥ１１６はローミングしているということを決定する場合には、ＵＥ１１６は、ＵＥ１１６とコアネットワーク１２８との間で専用ベアラを確立することを容易にするためにＵＥ始動のリソース割り付けが利用されるべきであるということを決定することができる。別の態様では、コアネットワーク１２８がＵＥ１１６はローミングしているということを決定する場合には、コアネットワーク１２８はまた、ＵＥ始動のリソース割り付けは利用されるということを決定することができる。
【００８４】
８１６で、ＵＥがローミングしていないということが決定される場合には、８１８でＮＷ始動のリソース割り付けが利用されるということを決定されることができる。一態様では、ＵＥは、受信インジケータ情報に少なくとも部分的に基づいて（例えばＮＷ始動のリソース割り付けがサポートされ（そしてＰＣＣがサポートされている）、好まれる）、ＮＷ始動のリソース割り付けは利用されるということを決定することができる。ＵＥ１１６は、ＮＷ始動のリソース割り付けについて構成されることができ、そして、ＵＥ１１６は、コアネットワーク１２８から、リソース割り付けに関する情報を受信するために待機することができる。
【００８５】
８２０で、リソース割り付けに関する情報は、ＮＷ始動のリソース割り付けに少なくとも部分的に基づいて、コアネットワークから受信されることができる。一態様では、ＵＥ１１６がローミングしておらず、また、ネットワークがＮＷ始動のリソース割り付けについてのＰＣＣをサポートし、ＮＷ始動のリソース割り付けがオペレーションの好まれるモードであるということを受信インジケータ情報が表示するとき、コアネットワーク１２８は、ＵＥ１１６についてのリソース割り付けを始動することができ、ＵＥ１１６とコアネットワーク１２８との間で望ましい専用ベアラを確立することを容易にするためにＵＥ１１６に対してリソース割り付けに関する情報を送信することができる。この時点では、方法８００は、参照番号８１２に進むことができ、専用ベアラがＵＥについてセットアップされることができる。一態様では、受信リソース割り付け情報及び／または他の情報は、ワイヤレス通信環境においてＵＥ１１６によって望ましい通信を容易にするためにＵＥ１１６とコアネットワーク１２８との間で専用ベアラを確立することを容易にするために使用されることができる。
【００８６】
図９は、開示された主題の事柄の態様にしたがって、ワイヤレス通信システムにおいてモバイルデバイスと関連づけられた通信を容易にすることができる、モバイルデバイス９００の図である。モバイルデバイス９００が、例えばシステム１００、呼び出しフロー２００、呼び出しフロー３００、システム４００、システム５００、方法６００、方法７００、及び方法８００については、ここにおいてより説明されているような、モバイルデバイス１１６と、同じまたは類似であることができ、及び／または、同じまたは類似の機能を備えることができるということは理解されるべきである。
【００８７】
モバイルデバイス９００は、例えば受信アンテナ（図示されず）から信号を受信する受信機９０２を備えることができ、そして、サンプルを得るために受信信号に一般的な動作を実行し（例、フィルタにかけ、増幅し、ダウンコンバートし、等）、条件づけられた信号をデジタル化する。受信機９０２は、例えばＭＭＳＥ受信機であることができ、受信シンボルを復調することができ、それらをチャネル推定のためにプロセッサ９０６に供給することができるデモジュレータ９０４を備えることができる。プロセッサ９０６は、受信機９０２によって受信される情報を分析し、送信機９０８によって送信についての情報を生成することの専用プロセッサ、モバイルデバイス９００の１以上のコンポーネントを制御するプロセッサ、及び／または、受信機９０２によって受信される情報を分析し、送信機９０８によって送信についての情報を生成することとモバイルデバイス９００の１以上のコンポーネントを制御することとの両方を行うプロセッサ、であることができる。モバイルデバイス９００はまた、例えば基地局（例１０２）、別のモバイルデバイス（例１２２）等に対して信号（例データ）を送信することを容易にするために、送信機９０８と共に機能することができるモジュレータ９１０を備えることができる。
【００８８】
一態様にしたがって、モバイルデバイス９００は、プロセッサ９０６と接続されることができ、そして、基地局１０２及び／またはワイヤレス通信環境における別の通信デバイス（例、モバイル電話、コンピュータ）（図示されず)に対して、データを送信すること、及び／または、そこからデータを受信することを容易にするために利用されることができる、コミュニケータコンポーネント４０２を含むことができる。別の態様では、モバイルデバイス９００は、プロセッサ９０６と接続されることができ、そして、モバイルデバイス９００がモバイルデバイス９００についてのリソース割り付け（例、ＱｏＳ）を始動するかどうか、または、コアネットワーク１２８がモバイルデバイス９００についてのリソース割り付けを始動するかどうかを表示することができる、及び／または、ネットワーク（例１２８）がＮＷ始動のリソース割り付けをサポートすることができるかどうかを表示することができる、インジケータ（単数または複数）及び／または他の情報を受信することができる、受信機コンポーネント４０４０を備えることができる。
【００８９】
モバイルデバイス９００はまた、モバイルデバイス９００がモバイルデバイス９００についてのリソース割り付けを始動するかどうか、または、コアネットワーク１２８がモバイルデバイス９００についてのリソース割り付けを始動するかどうか、を決定することを容易にするために、例えばＮＷ始動のサポートインジケータ及び／またはＮＷ始動の好まれるインジケータのような、プロセッサ９０６と接続されることができ情報を評価することができる評価器コンポーネント４０６を含むことができる。別の態様では、モバイルデバイス９００は、プロセッサ９０６と接続されることができ、そして情報の評価に少なくとも部分的に基づいて、モバイルデバイス９００がモバイルデバイス９００についてのリソース割り付けを始動するかどうか、または、コアネットワーク１２８がモバイルデバイス９００についてのリソース割り付けを始動するかどうかを決定することができる、イニシエータ管理コンポーネント４０８を含むことができ、情報は、例えば、ＰＣＣサポートインジケータ、ＮＷ始動のサポートインジケータ及び／またはＮＷ始動の好まれるインジケータ、のような受信情報を含む。例えば、イニシエータ管理コンポーネント４０８は、受信インジケータ（単数または複数）または他の情報に少なくとも部分的に基づいて、モバイルデバイス９００に、モバイルデバイス９００についてのリソース割り付けを始動させる、または始動させない、ようにモバイルデバイスを制御することができる。
【００９０】
さらに別の態様では、モバイルデバイス９００はまた、例えばＵＥ始動のリソース割り付けが望まれるときにモバイルデバイス９００についてのリソース割り付けを始動するために、及び／または、ＱｏＳルールにしたがってモバイルデバイス９００についてのＱｏＳを確立するために、プロセッサ９０６と接続されることができ、モバイルデバイス９００、例えばそこの中にあるコンポーネントを構成することを容易にすることができるコンフィギュレータコンポーネント４１０を含むことができる。モバイルデバイス９００は、プロセッサ９０６と接続されることができ、ＵＥ始動のリソース割り付けが望まれるときにリソース割り付けについてのリクエストを生成することができるリクエストコンポーネント４１２をさらに含むことができ、なお、リソース割り付けについてのリクエストは、コミュニケータコンポーネント４０２によって基地局１０２を介してコアネットワーク１２８に対して通信されることができる。
【００９１】
さらに、プロセッサ９０６と接続されることができ、プロセッサ９０６に操作的に結合されることができ、そして、送信されるべきデータ、受信データ、基地局及び／またはセルに関する情報、モバイルデバイス９００に関する情報、及び／または、望まれれば、ＵＥ始動のリソース割り付けまたはＮＷ始動のリソース割り付けを容易にすることができるいずれの他の適切な情報、モバイルデバイス９００と関連づけられたデータの通信、を保存することができるデータストア４１４をモバイルデバイス９００は備えることができる。データストア４１４は、モバイル９００についてのＵＥ始動のリソース割り付け及びＮＷ始動のリソース割り付けとそれぞれ関連づけられるプロトコル及び／またはアルゴリズム、モバイルデバイス９００についてのＱｏＳを確立すること、モバイルデバイス９００とコアネットワーク（例、１２８）との間でベアラをセットアップすること、及び／または、モバイルデバイス９００に関する他の機能、をさらに保存することができる。
【００９２】
一実施形態にしたがって、モバイルデバイス９００は、オプションで、ＮＷ始動の好まれるインジケータのような、ある情報に対するアクセスを容易にするために使用されることができるＡＰＩ４１６を含むことができる。望ましい情報は、望ましい目的のために、例えばアプリケーションを開発するためにそのような情報を利用することができる、例えばアプリケーションの開発者のような、望まれるエンティティに対して、ＡＰＩ４１６を介して利用可能にされることができる。
【００９３】
コミュニケータコンポーネント４０２、受信機コンポーネント４０４、評価器コンポーネント４０６、イニシエータ管理コンポーネント４０８、コンフィギュレータコンポーネント４１０、リクエストコンポーネント４１２、データストア４１４、及びオプションのＡＰＩ４１６はそれぞれ、例えばシステム４００に関してここにおいて十分に説明されているようなそれぞれのコンポーネントと同じまたは類似であることができ、または、同じまたは類似の機能を備えることができるということは認識され理解されるべきである。コミュニケータコンポーネント４０２、受信機コンポーネント４０４、評価器コンポーネント４０６、イニシエータ管理コンポーネント４０８、コンフィギュレータコンポーネント４１０、リクエストコンポーネント４１２、データストア４１４、及びオプションのＡＰＩ４１６は、それぞれスタンドアロンユニット（図示されているように）であることができ、プロセッサ９０６内に含まれることができ、別のコンポーネント内に組み込まれることができ、及び／または、望まれれば、それらのいずれの適切な組み合わせであることができる。
【００９４】
図１０は、開示された主題の態様に従ってワイヤレス通信環境におけるモバイルデバイスと関連づけられた通信を容易にすることができるシステム１０００の例である。システム１０００は基地局１０２（例えばアクセス・ポイント、…）を備えることができる。基地局１０２は、複数の受信アンテナ１００４を通じて１以上のモバイルデバイス１１６から信号（単数または複数）を受信することができる受信機１００２と、送信アンテナ１００８を通じて１以上のモバイルデバイス１１６に対して信号（例、データ）を送信することができる送信機１００６と、を含むことができる。受信機１００２は受信アンテナ１００４から情報を受信することができ、受信情報を復調することができるデモジュレータ１０１０と操作的に関連づけられることができる。復調されたシンボルは、プロセッサ１０１２によって分析されることができ、そのプロセッサは、受信機１００２によって受信される情報を分析すること及び／または送信機１００６による送信についての情報を生成することの専用プロセッサ、基地局１０２の１以上のコンポーネントを制御するプロセッサ、及び／または、受信機１００２によって受信される情報を分析し送信機１００６による送信についての情報を生成することと基地局１０２の１以上のコンポーネントを制御することとの両方を行うプロセッサ、であることができる。基地局１０２はまた、例えばモバイルデバイス１１６、別のデバイスなどに対して信号（例、データ）を送信することを容易にするために、送信機１００６と共に機能することができるモジュレータ１０１４を備えることができる。
【００９５】
プロセッサ１０１２は、データストア１０１６に結合されることができ、データストアは、送信されるべきデータ、受信データ、基地局に関する情報（例、基地局１０２）、モバイルデバイス（単数または複数）（例１１６）に関する情報、セルに関する情報、及びモバイルデバイス（単数または複数）（例１１６）と関連づけられた情報（例、ボイス、データ）の通信を容易にすることができるいずれの他の適切な情報を保存することができる。データストア１０１６は、モバイルデバイス（単数または複数）（例１１６）、別の基地局、セル、または別のデバイスと通信することを容易にすることと関連づけられたプロトコル及び／またはアルゴリズムを追加的に保存することができる。データストア１０１６は、スタンドアロンユニット（図示されているように）であることができ、プロセッサ１０１２内に含まれることができ、別のコンポーネント内に組み込まれることができ、及び／または、望まれる場合には、実質的にはそれらのいずれの適切な組み合わせであることができる。
【００９６】
一態様では、ここにおいて記載されたデータストア１０１６は、揮発性メモリ及び／または不揮発性のメモリを備えることができる。例として、しかし限定されないが、不揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、あるいはフラッシュメモリ、及び／または、不揮発性ランダムアクセスメモリ（ＮＶＲＡＭ）を含むことが出来る。揮発性メモリは、外部キャッシュメモリとして作用するランダムアクセスメモリ（ＲＡＭ）を含むことが出来る。例として、しかし限定されないが、ＲＡＭは、シンクロナスＲＡＭ（ＳＲＡＭ）、動的ＲＡＭ（ＤＲＡＭ）、シンクロナスＤＲＡＭ（ＳＤＲＡＭ）、ダブルデータレートＳＤＲＡＭ（ＤＤＲＳＤＲＡＭ）、拡張ＳＤＲＡＭ（ＥＳＤＲＡＭ）、シンクリンクＤＲＡＭ（ＳＬＤＲＡＭ）、及びダイレクトラムバスＲＡＭ（ＤＲＲＡＭ）、のような多くの形態で利用可能である。データストア１０１６は、制限されることなく、これら及びいずれの他の適切なタイプのメモリを備えるように意図される。
【００９７】
図１１は、開示された主題の態様にしたがって、例示的なワイヤレス通信システム１１００を図示する。ワイヤレス通信システム１１００は、簡潔さのために、１つの基地局１１１０と１つのモバイルデバイス１１５０を図示する。しかしながら、システム１１００は、１以上の基地局及び／または１以上のモバイルデバイスを含むことができ、なお、追加の基地局及び／またはモバイルデバイスは、下記で記載されている基地局１１１０とモバイルデバイス１１５０の例と実質的に同じまたは異なることができる、ということは理解されるべきである。さらに、基地局１１１０及び／またはモバイルデバイス１１５０は、それらの間のワイヤレス通信を容易にするためにここに記載されている、システム（図１、４、５、９、１０）及び／または（図６−８）を利用することができる、ということは理解されるべきである。基地局１１０とモバイルデバイス１１５０はそれぞれ、例えばシステム１００、呼び出しフロー２００、呼び出しフロー３００、システム４００、システム５００、方法６００、方法７００、方法８００、システム９００、及び／またはシステム１０００に関して、ここにおいてより詳細に説明されているようなそれぞれのコンポーネントと同じまたは類似であることができ、及び／または、同じまたは類似の機能を備えることができるということは理解されるべきである。
【００９８】
基地局１１１０では、複数のデータストリームのためのトラヒックデータは、データソース１１１２から送信（ＴＸ）データプロセッサ１１１４へと供給される。一例によると、各データストリームは、それぞれのアンテナ上で送信されることができる。ＴＸデータプロセッサ１１１４は、コード化されたデータを提供するためにそのデータストリームについて選択される具体的な符号化スキームに基づいてトラヒックデータストリームを、フォーマット化し、コード化し、そしてインタリーブする。
【００９９】
各データストリームのコード化されたデータは、直交周波数分割多重化（ＯＦＤＭ）技術を使用して、パイロットデータと多重化されることができる。さらにあるいは代替的に、パイロットシンボルは、周波数分割多重化（ＦＤＭ）、時分割多重化（ＴＤＭ）、または、符号分割多重化（ＣＤＭ）されることができる。パイロットデータは、既知の方法で処理される既知データパターンであり、チャネル応答を推定するためにモバイルデバイス１１５０において使用されることができる。各データストリームについての多重化されたパイロット及び符号化されたデータは、変調シンボルを提供するためにそのデータストリームについて選択される特定の変調スキーム（例、バイナリ位相シフトキーイング（ＢＰＳＫ）、直角位相シフトキーイング（ＱＰＳＫ）、Ｍ位相シフトキーイング（Ｍ−ＰＳＫ）、Ｍ直交振幅変調（Ｍ−ＱＡＭ）など）に基づいて変調されることができる（例、シンボルマッピングされる）。各データストリームのためのデータレート、コーディング及び変調は、プロセッサ１１３０によって実行される、または、提供される、命令によって決定されることができる。
【０１００】
データストリームのための変調シンボルは、ＴＸ ＭＩＭＯプロセッサ１１２０に対して供給されることができ、そしてそれは、変調シンボル（例、ＯＦＤＭ用）をさらに処理することができる。ＴＸ ＭＩＭＯプロセッサ１１２０は、ＮＴ送信機（ＴＭＴＲ）１１２２ａ〜１１２２ｔに対してＮＴ変調シンボルストリームを供給する。様々な実施形態では、ＴＸ ＭＩＭＯプロセッサ１１２０は、データストリームのシンボルに対して、そして、シンボルが送信されているアンテナに対して、ビームフォーミング重み付けを適用する。
【０１０１】
データストリームの変調シンボルは、ＴＸ ＭＩＭＯプロセッサ１１２０に対して供給されることができ、そしてそれは、変調シンボル（例、ＯＦＤＭ用）をさらに処理することができる。ＴＸ ＭＩＭＯプロセッサ１１２０は、ＮＴ送信機（ＴＭＴＲ）１１２２ａ〜１１２２ｔに対してＮＴ変調シンボルストリームを供給する。様々な実施形態では、ＴＸ ＭＩＭＯプロセッサ１１２０は、データストリームのシンボルに対して、そして、シンボルが送信されているアンテナに対して、ビームフォーミング重み付けを適用する。
【０１０２】
各送信機１１２２は、１以上のアナログ信号を提供するために、それぞれのシンボルストリームを受信し処理し、そして、ＭＩＭＯチャネル上の送信に適した変調信号を提供するためにアナログ信号をさらに条件づける（例、増幅し、フィルタにかけ、そしてアップコンバートする）。さらに、送信機１１２２ａ〜１１２２ｔからのＮＴ変調信号は、それぞれ、ＮＴアンテナ１１２４ａ〜１１２４ｔから送信される。
【０１０３】
モバイルデバイス１１５０では、送信された変調信号は、ＮＲアンテナ１１５２ａ〜１１５２ｒによって受信され、各アンテナ１１５２からの受信信号は、それぞれの受信機（ＲＣＶＲ）１１５４ａ〜１１５４ｒに対して供給される。各受信機１１５４は、それぞれの信号を条件づけ（例、フィルタにかけ、増幅し、ダウンコンバートし）、サンプルを提供するために条件づけられた信号をデジタル化し、そして、対応する「受信」シンボルストリームを提供するためにサンプルをさらに処理する。
【０１０４】
ＲＸデータプロセッサ１１６０は、ＮＴ「検出」シンボルストリームを提供するために特定の受信機プロセッシング技術に基づいて、ＮＲ受信機１１５４からＮＲ受信シンボルストリームを受信し処理することができる。ＲＸデータプロセッサ１１６０は、データストリーム用のトラヒックデータを回復するために各検出されたシンボルストリームを復調し、デインタリーブし、復号することができる。ＲＸデータプロセッサ１１６０による処理は、基地局１１１０におけるＴＸ ＭＩＭＯプロセッサ１１２０及びＴＸデータプロセッサ１１１４によって実行される補足(complementary)である。
【０１０５】
プロセッサ１１７０は、どのプレコーディングマトリクスを使用するかを周期的に決定することができる（下記で説明されている）。さらに、プロセッサ１１７０は、マトリックスインデックス部分及びランク値部分を備えておる逆方向リンクメッセージをフォーミュレートすることができる。
【０１０６】
逆方向リンクメッセージは、通信リンク及び／または受信データストリームに関する様々なタイプの情報を備えることができる。逆方向リンクメッセージは、データソース１１３６から多数のデータストリームについてのトラヒックデータを受信するＴＸデータプロセッサ１１３８によって処理されることができ、モジュレータ１１８０によって変調され、送信機１１５４ａ〜１１５４ｒによって条件づけられ、そして、基地局１１０に戻って送信される。
【０１０７】
基地局１１１０では、モバイルデバイス１１５０からの変調信号はアンテナ１１２４によって受信され、受信機１１２２によって条件付けられ、デモジュレータ１１４０によって復調され、そしてモバイルデバイス１１５０によって送信された逆方向リンクメッセージを抽出するためにＲＸデータプロセッサ１１４２によって処理される。さらに、プロセッサ１１３０は、抽出されたメッセージを処理することができ、ビームフォーミング重み付けを決定するためにどのプレコーディングマトリクスを使用するかを決定することができる。
【０１０８】
プロセッサ１１３０とプロセッサ１１７０は、それぞれ、基地局１１１０とモバイルデバイス１１５０におけるオペレーションを命令することができる（例、制御する、調整する、管理する、など）。それぞれのプロセッサ１１３０とプロセッサ１１７０は、プログラムコードとデータを保存するメモリ１１３２とメモリ１１７２と関連づけられることができる。プロセッサ１１３０とプロセッサ１１７０はまた、それぞれ、アップリンク及びダウンリンクのための周波数及びインパルスレスポンス推定値を導出するためにコンピューテーションを実行することができる。
【０１０９】
一態様では、論理チャンネル、制御チャネルとトラヒックチャネルに分類される。論理制御チャネルは、システム制御情報をブロードキャストするためのＤＬチャネルであるブロードキャスト制御情報（ＢＣＣＨ）を備えることができる。ページング情報を移送するＤＬチャネルであるページング制御チャネル（ＰＣＣＨ）。１つまたはいくつかのＭＴＣＨのためにマルチメディアブロードキャスト及びマルチキャストサービス（ＭＢＭＳ）スケジューリング及び制御情報を送信するために使用されるポイント・ツー・マルチポイントＤＬチャネルであるマルチキャスト制御チャネル（ＭＣＣＨ）。一般的に、ＲＲＣ接続を確立した後で、このチャネルは、ＭＢＭＳを受信するＵＥによって使用されるだけである（注：古いＭＣＣＨ＋ＭＳＣＨ）。専用制御チャネル（ＤＣＣＨ）は、専用制御情報を送信し、ＲＲＣ接続を有するＵＥによって使用される、ポイント・ツー・ポイント双方向チャネルである。一態様では、論理トラヒックチャネルは、ユーザ情報の移送のために、１つのＵＥに対し専用で、ポイント・ツー・ポイントの双方向チャネルである、専用トラヒックチャネル（ＤＴＣＨ）を備える。また、トラヒックデータを送信するためのポイント・ツー・マルチポイントＤＬチャネルであるマルチキャストトラヒックチャネル（ＭＴＣＨ）も備える。
【０１１０】
一態様では、トランスポートチャネルは、ＤＬとＵＬに分類される。ＤＬトランスポートチャネルは、ブロードキャストチャネル（ＢＣＨ）、ダウンリンク共有データチャネル（ＤＬ−ＳＤＣＨ）及びページングチャネル（ＰＣＨ）を備え、ＵＥパワー節約のサポートのためのＰＣＨ（ＤＲＸサイクルはＵＥに対してネットワークによって示されている）は、全体セルにわたってブロードキャストされ、他の制御／トラヒックチャネルについて使用されることができるＰＨＹリソースにマッピングされる。ＵＬトランスポートチャネルは、ランダムアクセスチャネル（ＲＡＣＨ）、リクエストチャネル（ＲＥＱＣＨ）、アップリンク共有データチャネル（ＵＬ−ＳＤＣＨ）、及び複数のＰＨＹチャネルを備える。ＰＨＹチャネルは１セットのＤＬチャネルとＵＬチャネルを備える。
【０１１１】
ＤＬ ＰＨＹチャネルは、共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割り当てチャネル（ＳＵＡＣＨ）、肯定応答チャネル（Acknowledgement Channel）（ＡＣＫＣＨ）、ＤＬ物理共有データチャネル（ＤＬ−ＰＳＤＣＨ）、ＵＬパワー制御チャネル（ＵＰＣＣＨ）、ページングインジケータチャネル（ＰＩＣＨ）、ロードインジケータチャネル（ＬＩＣＨ）を備えることができる。
【０１１２】
ＵＬ ＰＨＹチャネルは、物理ランダムアクセスチャネル(Physical Random Access Channel)(ＰＲＡＣＨ)、チャネル品質インジケータチャネル(Channel Quality Indicator Channel)(ＣＱＩＣＨ)、肯定応答チャネル(ＡＣＫＣＨ)、アンテナサブセットインジケータチャネル(Antenna Subset Indicator Channel)(ＡＳＩＣＨ)、共有リクエストチャネル(Shared Request Channel)(ＳＲＥＱＣＨ)、ＵＬ物理共有データチャネル(UL Physical Shared Data Channel)(ＵＬ−ＰＳＤＣＨ)、ブロードキャストパイロットチャネル(Broadband Pilot Channel)(ＢＰＩＣＨ)を備えることができる。
【０１１３】
一態様では、シングルキャリア波形の低いＰＡＲ（任意の所与時間において、チャネルは、チャネルは周波数において均等に間隔が空けられている、または、隣接している）のプロパティを保存するチャネルストラクチャが提供されている。
【０１１４】
ここに説明されている実施形態はハードウェア、ソフトウェア、ファームウェア、ミドルウェア、マイクロコード(microcode)、あるいはそれらのいずれの組み合わせによってインプリメントされることができる、ということが理解されるべきである。ハードウェアインプリメンテーションの場合、処理ユニットは、１以上の特定用途集積回路（ＡＳＩＣ）、デジタル信号プロセッサ（ＤＳＰ）、デジタル信号プロセッシングデバイス（ＤＳＰＤ）、プログラマブル論理、プログラマブル論理デバイス（ＰＬＤ）、フィールドプロラグマブルゲートアレイ（ＦＰＧＡ）、プロセッサ、コントローラ、マイクロコントローラ、マイクロプロセッサ、ここにおいて記載される機能を実行するように設計される他の電子ユニット、または、それらの組み合わせ、でインプリメントされることができる。
【０１１５】
実施形態が、ソフトウェア、ファームウェア、ミドルウェアあるいはマイクロコード、プログラムコードあるいはコードセグメント(code segment)においてインプリメントされるとき、それらは、ストレージコンポーネントのようなマシン可読メディア(machine-readable medium)において保存されることが出来る。コードセグメントは、プロシージャ(procedure)、機能(function)、サブプログラム、プログラム、ルーチン、サブルーチン、モジュール、ソフトウェアパッケージ、クラス、あるいは、命令、データストラクチャ、あるいはプログラムステートメントのいずれの組み合わせ、を表すことが出来る。コードセグメントは、情報、データ、アーギュメント(arguments)、パラメータあるいはメモリコンテンツを受け渡しすること及び/または受信することによって、別のコードセグメントあるいはハードウェア回路に結合されることが出来る。情報、アーギュメント、パラメータ、データなどは、メモリの共有、メッセージパッシング(message passing)、トークンパッシング(token passing)、ネットワーク伝送などを含んでいる、いずれの適切な手段を使用して、受け渡され、転送され、あるいは送信されることが出来る。
【０１１６】
ソフトウェアインプリメンテーションの場合、ここにおいて説明された技術は、ここに説明された機能を実行するモジュール(例、プロシージャ、機能、など)でインプリメントされることが出来る。ソフトウェアコードは、メモリユニットに保存され、プロセッサによって実行されることが出来る。メモリユニットは、プロセッサ内で、あるいはプロセッサ外で、インプリメントされることが出来、この場合には、それは、当技術分野において知られているような様々な手段を通じてプロセッサに通信的に結合されることが出来る。
【０１１７】
図１２を参照すると、ワイヤレス通信環境におけるモバイルデバイスと関連づけられた通信を容易にすることができるシステム１２００が図示される。例えば、システム１２００は、モバイルデバイス（例えば１１６）内に少なくとも部分的に常駐することができる。システム１２００が機能ブロックを含むものとして表わされるということは理解されるべきであり、そしてそれは、プロセッサ、ソフトウェア、あるいはそれらの組み合わせ（例、ファームウェア）によってインプリメントされる機能を表わす機能ブロックであることができる。システム１２００は、連結で作用することができる電子コンポーネントの論理グルーピング１２０２を含む。
【０１１８】
例えば、論理グルーピング１２０２は、リソース割り付けを始動することに関して少なくとも１つのインジケータを受信するための電子コンポーネント１２０４を含むことができる。一態様では、電子コンポーネント１２０４は、モバイルデバイスまたはコアネットワークがモバイルデバイスのリソース割り付けを始動するかどうかを決定することを容易にするために評価されることができる、ＰＣＣサポートインジケータ、ＮＷ始動のサポートインジケータ及び／またはＮＷ始動の好まれるインジケータのようなインジケータ（単数または複数）を受信することを容易にすることができる。
【０１１９】
さらに、論理グルーピング１２０２は、ＮＷ始動のリソース割り付けはサポートされていないまたは好まれていないという表示に少なくとも部分的に基づいてリソース割り付けについてのリクエストを生成するための電子コンポーネント１２０６を備えることができる。一態様では、電子コンポーネント１２０６は、例えば、現在のネットワークがＰＣＣをサポートしない、ＮＷ始動のリソース割り付けをサポートしない、及び／または、ＮＷ始動のリソース割り付けはモバイルデバイスにより利用されるアプリケーションによりオペレーションの好まれるモードでないということを表示するインジケータ（単数または複数）が受信される場合には、リソース割り付けについてのリクエストを生成することができる。
【０１２０】
論理グループ１２０２はまた、受信インジケータ（単数または複数）に少なくとも部分的に基づいてＮＷ始動のリソース割り付けまたはＵＥ始動のリソース割り付けのためにモバイルデバイスを構成するための電子コンポーネント１２０８を含むことができる。一態様では、電子コンポーネント１２０８は、ＮＷ始動のリソース割り付けについてのＰＣＣが現在のネットワークによってサポートされない及び／またはＮＷ始動のリソース割り付けがモバイルデバイスについて利用されるアプリケーション（例、タイプ２アプリケーション）によって好まれない、ということが決定される場合には、リソース割り付けについてのリクエストを生成することによってリソース割り付けを始動するように、モバイルデバイスを構成することができる。さらに、システム１２００は、電子コンポーネント１２０４、１２０６及び１２０８と関連づけられた機能を実行するための命令を保持することができるメモリ１２１０を含むことができる。メモリ１２１０の外にあるものとして示されているが、電子コンポーネント１２０４、１２０６及び１２０８のうち１以上がメモリ１２１０内に存在することができることが理解されるべきである。
【０１２１】
図１３に戻り、ワイヤレス通信環境におけるモバイルデバイスと関連づけられた通信を容易にすることができるシステム１３００が図示されている。例えば、システム１３００は、基地局１０２を介してモバイルデバイス（例、１１６）と関連づけられることができる（例、ワイヤレス接続されている）コアネットワーク１２８内で少なくとも部分的に常駐することができる。システム１３００は、機能ブロックを含んでいるものとして表わされているということは理解されるべきであり、そしてそれは、プロセッサ、ソフトウェア、または、それらの組み合わせ（例、ファームウェア）によってインプリメントされる機能を表わす機能ブロックであることができる。システム１３００は、連結で作用することができる電子コンポーネントの論理グルーピング１３０２を含む。
【０１２２】
一態様では、論理グルーピング１３０２は、リソース割り付けを始動することを管理することに関して少なくとも１つのインジケータと通信するための電子コンポーネント１３０４を含むことができる。一態様では、電子コンポーネント１３０４は、モバイルデバイスに対して、ＰＣＣサポートインジケータまたはＮＷ−始動サポートインジケータのような１以上のインジケータを送信することができ、なお、インジケータ（単数または複数）は、モバイルデバイスとコアネットワークとの間でリソース割り付けを確立することを容易にするために、ＮＷイニシャライズされたリソース割り付けまたはＵＥ始動のリソース割り付けが利用されるかどうかを決定することを容易にすることができる。
【０１２３】
さらに、論理グルーピング１３０２は、ＵＥ始動のリソース割り付けまたはＮＷ始動のリソース割り付けを利用するかどうかを決定するための電子コンポーネント１３０６を備えることができる。一態様では、電子コンポーネント１３０６は、タイプ１アプリケーションまたはタイプ２アプリケーションはモバイルデバイスに関して利用されているかどうかを決定することができる。例えば、ＰＣＣとＮＷ始動のリソース割り付けが現在のネットワーク（例、１２８）によってサポートされ、タイプ２アプリケーションはモバイルデバイスに関して利用されるということが決定される場合には、電子コンポーネント１３０６は、コアネットワークとモバイルデバイスとの間でＱｏＳを確立することを容易にするためにＮＷ始動のリソース割り付けが利用されることを決定することができる。ＰＣＣ及びＮＷ始動のリソース割り付けが現在のネットワークによってサポートされない、及び／または、タイプ２アプリケーションはモバイルデバイスに関して利用されない（例えば、タイプ１アプリケーションが利用される）ということが決定される場合には、電子コンポーネント１３０６は、コアネットワークとモバイルデバイスとの間でＱｏＳを確立することを容易にするために、ＵＥ始動のリソース割り付けが利用されることを決定することができる。
【０１２４】
論理グルーピング１３０２はまた、モバイルデバイスとコアネットワークとの間でベアラをセットアップするための電子コンポーネント１３０８を含むことができる。一態様では、電子コンポーネント１３０８は、モバイルデバイスとコアネットワークとの間でベアラを確立することを容易にするために、モバイルデバイスに対して情報を送信すること、または、モバイルデバイスから情報を受信すること、を容易にすることができる。さらに、システム１３００は、電子コンポーネント１３０４、１３０６及び１３０８と関連づけられた機能を実行するための命令を保持するメモリ１３１０を含むことができる。メモリ１３１０の外にあると示されているが、電子コンポーネント１３０４、１３０６及び１３０８のうちの１つまたは複数はメモリ１３１０内に常駐することができるということが理解されるべきである。
【０１２５】
ここにおいて開示される実施形態に関連して説明された様々な説明のための論理、論理ブロック、モジュール及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいは他のプログラマブル論理回路、ディスクリートゲートあるいはトランジスタロジック、ディスクリートハードウェアコンポーネント、あるいは、ここに説明された機能を実行するように設計されたそれらのいずれの組み合わせ、でインプリメントされる、あるいは実行されることができる。汎用プロセッサは、マイクロプロセッサであってもよいが、代替として、プロセッサは、いずれの従来のプロセッサ、コントローラ、マイクロコントローラ、あるいはステートマシン(state machine)であってもよい。プロセッサはまた、コンピューティングデバイス(computing devices)の組み合わせ、例えば、ＤＳＰとマイクロプロセッサとの組み合わせ、複数のマイクロプロセッサ、ＤＳＰコアと併用しての１以上のマイクロプロセッサ、あるいはいずれの他のそのような構成のもの、としてインプリメントされてもよい。さらに、少なくとも１つのプロセッサは、上記で説明されたステップ及び／または動作のうちの１つまたは複数を実行することが動作可能な1つまたは複数のモジュールを備えることができる。
【０１２６】
さらに、ここにおいて開示された態様に関連して説明された方法あるいはアルゴリズムのステップ及び／または動作は、直接ハードウェアにおいて、プロセッサによって実行されたソフトウェアモジュールにおいて、あるいはこれら２つの組み合わせにおいて、具現化されることができる。ソフトウェアモジュール、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭあるいは当技術分野において知られている記憶媒体のいずれの他の形態、において常駐することができる。例示的な記憶媒体は、プロセッサに結合されうるので、プロセッサが記憶媒体から情報を読み取ることができ、また記憶媒体に情報を書き込むことができる。あるいは、記憶媒体は、プロセッサに一体化されてもよい。さらに、いくつかの態様では、プロセッサと記憶媒体は、ＡＳＩＣにおいて存在していてもよい。さらに、ＡＳＩＣは、ユーザ端末において存在していてもよい。あるいは、プロセッサと記憶媒体は、ユーザ端末において、ディスクリートコンポーネントとして存在していてもよい。さらに、いくつかの態様において、方法あるいはアルゴリズムのステップ及び／または動作は、機械可読媒体及び／またはコンピュータ可読媒体上で、１つ、あるいは、いずれの組み合わせ、あるいは、コード及び／または命令のセットとして、存在することができる。
【０１２７】
１つまたは複数の態様においては、説明された機能は、ハードウェア、ソフトウェア、ファームウェアあるいはそれらのいずれかの組み合わせにおいてインプリメントされることができる。ソフトウェアでインプリメントされる場合には、機能は、コンピュータ可読媒体上で、１以上の命令あるいはコードとして、記憶されてもよく、あるいは、送信されることができる。コンピュータ可読媒体は、ある場所から別の場所へのコンピュータプログラムの移送(transfer)を容易にするいずれの媒体も含んでいる、コンピュータ記憶媒体(computer storage media)と通信媒体(communication media)の両方を含む。記憶媒体は、コンピュータによってアクセスされることができる、いずれの利用可能な媒体であってもよい。例として、また限定されないが、そのようなコンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータストラクチャの形態において望まれるプログラムコードを保存あるいは搬送するために使用されることができる、また、コンピュータによってアクセスされることができる、任意の他の媒体も備えることができる。また、いずれの接続(connection)もコンピュータ可読媒体と適切に名付けられる。例えば、ソフトウェアがウェブサイト、サーバ、あるいは、同軸ケーブル、光ファイバーケーブル、ツイストペア(twisted pair)、デジタル加入者ライン(digital subscriber line)(ＤＳＬ)、あるいは赤外線、無線、及びマイクロ波のようなワイヤレス技術を使用している他の遠隔ソース、から送信される場合には、そのときには、同軸ケーブル、光ファイバーケーブル、ツイストペア、ＤＳＬ、あるいは赤外線、無線、及びマイクロ波のようなワイヤレス技術は、媒体(medium)の定義に含まれている。ここに使用されているように、ディスク(disk)とディスク(disk)は、コンパクトディスク(compact disc)(ＣＤ)、レーザーディスク(登録商標)(laser disc)、光学ディスク(optical disc)、デジタル汎用ディスク(digital versatile disc)(ＤＶＤ)、フロッピー(登録商標)ディスク(disk)及びブルーレイディスク(blu-ray disc)を含んでおり、ディスク(disks)は、大抵、データを磁気で再生しているが、ディスク(discs)は、レーザーで光学的に再生する。上記のものの組み合わせも、また、コンピュータ可読媒体の範囲内に含まれるべきである。
【０１２８】
以上の開示は、説明の態様及び/または実施形態を説明しているが、様々な変更及び修正が、添付された特許請求項の範囲によって定義されるような、記載された態様及び/または実施形態の範囲から逸脱することなく、ここにおいてなされることができるであろうということは留意されるべきである。さらに、説明された態様及び/または実施形態の構成要素は、単数形で説明あるいは特許請求されているかもしれないが、単数形への制限が明示的に述べられていない限り、複数形が意図されている。さらに、いずれの態様及び/または実施形態のすべてあるいは一部は、述べられていない限り、いずれの他の態様及び/または実施形態のすべてあるいは一部を用いて、利用されることができる。
【図１】
2011524726.tif 000003
【図２】
2011524726.tif 000004
【図３】
2011524726.tif 000005
【図４】
2011524726.tif 000006
【図５】
2011524726.tif 000007
【図６】
2011524726.tif 000008
【図７】
2011524726.tif 000009
【図８】
2011524726.tif 000010
【図９】
2011524726.tif 000011
【図１０】
2011524726.tif 000012
【図１１】
2011524726.tif 000013
【図１２】
2011524726.tif 000014
【図１３】
2011524726.tif 000015
【国際調査報告】
2011524726.tif 000016
2011524726.tif 000017
2011524726.tif 000018
2011524726.tif 000019